(57)【要約】  液体を乾燥させて粉体にするための静電スプレードライヤが、乾燥チャンバを形成する細長い本体と、乾燥チャンバの一方の端部におけるスプレーノズル組立体と、反対側の端部におけるフィルタ要素ハウジング及び粉体収集チャンバとを含む。非構造性非金属ライナが、内部乾燥ゾーンを形成するように、内壁表面に離間して細長い本体内に配置される。ライナは、特定の使用後の選択的な取り外し及び交換を可能にするように、本体内に解放可能に支持される。示される細長い本体は、複数のモジュールを含むモジュール式構成を有し、少なくとも１つは、特定の噴霧用途のために乾燥チャンバの長さを変えるために選択的に取り外し及び交換可能である。ライナもまた、乾燥チャンバの変更された長さのライナ又は特定の使用のための異なる直径を有するライナと交換可能である。【選択図】  図２
2018537275.tif 000002
【特許請求の範囲】
【請求項１】
直立姿勢に支持された細長い構造本体と、
前記細長い本体内に乾燥チャンバを形成するための、前記細長い本体の互いに反対側の上端部及び下端部にある閉鎖機構と、
前記細長い本体内に内部乾燥ゾーンを形成するように、前記細長い本体の内壁表面に対して離間して前記細長い本体内に配置された非構造性非金属ライナと
を備える、液体を乾燥させて粉体にするための静電噴霧乾燥システムであって、
前記閉鎖機構の一方は、乾燥ガス源に接続するため及び乾燥ガスを前記乾燥ゾーンに導くための乾燥ガス入口を含み、
前記静電噴霧乾燥システムは、前記閉鎖機構の一方内に支持された静電スプレーノズル組立体をさらに備え、
前記静電スプレーノズル組立体は、ノズル本体を含み、前記ノズル本体は、乾燥させる液体を前記乾燥ゾーンに導くための、前記ノズル本体の下流端部にある放出スプレーチップ組立体を有し、
前記静電スプレーノズル組立体は、前記乾燥ゾーン内に放出される液体の供給部に接続するための液体入口と、前記スプレーノズル組立体を通って前記放出スプレーチップ組立体から前記乾燥ゾーン内に放出される液体を帯電させるために電源に接続するための電極とを有し、
前記静電噴霧乾燥システムは、前記細長い本体内に前記ライナを解放可能に支持するように、かつ、前記静電噴霧乾燥システムの使用後の前記ライナの選択的な取り外し及び交換を可能にするように、周方向に配置された支持部をさらに備える、噴霧乾燥システム。
【請求項２】
前記静電スプレーノズル組立体は、前記ノズル本体を通って加圧霧化ガスを導き、前記放出ノズル組立体から放出される静電帯電した液体を霧化するために加圧ガス供給部に接続するための霧化ガス入口を有する、請求項１の噴霧乾燥システム。
【請求項３】
前記霧化ガス入口は、不活性ガスの供給部と、前記不活性ガスが前記スプレーノズル組立体の前記霧化ガス入口に導かれるときに前記不活性ガスを加熱するためのヒータとに接続される、請求項２に記載の噴霧乾燥システム。
【請求項４】
前記ライナは、前記ライナと前記細長い本体の前記内壁表面との間に少なくとも２インチの空隙を形成するように、前記細長い本体内の中央に配置されている、請求項１に記載の噴霧乾燥システム。
【請求項５】
前記ライナは、可撓性の不透過性プラスチック材料で作られている、請求項１に記載の噴霧乾燥システム。
【請求項６】
前記ライナは、透過性フィルタ材料で作られている、請求項１に記載の噴霧乾燥システム。
【請求項７】
前記細長い本体は、円筒形状であり、鋼で作られている、請求項１に記載の噴霧乾燥システム。
【請求項８】
前記周方向に配置された支持部は、前記ライナを前記細長い本体に対して電気的に絶縁するように支持するための、周方向に離間した複数の非金属隔離部を含む、請求項１に記載の噴霧乾燥システム。
【請求項９】
前記周方向に配置された支持部は、前記ライナを前記細長い本体に対して電気的に絶縁するように支持するためのリング組立体を含み、前記リング組立体の各々は、前記ライナの端部が固定される内側リングと、前記本体に固定される外側リングと、前記内側リングと前記外側リングとの間に半径方向に固定された、周方向に離間した複数の非導電性スタッドとを含む、請求項１に記載の噴霧乾燥システム。
【請求項１０】
前記細長い本体の前記下端部の前記閉鎖機構は、粉体収集チャンバと、排出ガス出口を有するフィルタ要素ハウジングであって、前記フィルタ要素ハウジング及び前記排出ガス出口を通って前記収集チャンバを出る乾燥ガスから、ガスが運ぶ粒子状物質をフィルタリングするためのフィルタ要素ハウジングと、排出ガスを前記乾燥チャンバ及び前記乾燥ゾーンに再導入するように前記排出ガス出口と前記乾燥ガス入口との間に接続された再循環導管と、前記乾燥チャンバ及び前記加熱ゾーンに再導入する前に排出ガスを加熱するための、前記再循環導管内の加熱要素とを含む、請求項１に記載の噴霧乾燥システム。
【請求項１１】
複数の前記静電スプレーノズル組立体は、前記細長い本体の上端部の前記閉鎖部材内に支持されている、請求項１に記載の噴霧乾燥システム。
【請求項１２】
前記ノズル本体は細長い中空本体であり、入力ヘッドが前記ノズル本体を支持しており、前記液体入口は前記入力ヘッドにあり、前記電極は、前記液体入口と連通する液体通路を有し、導電性材料で作られた細長い供給管が、前記電極の前記液体通路と連通する液体通路を有し、前記細長いノズル本体内に配置されており、前記供給管及び前記細長いノズル本体は、加圧ガス源に接続するための加圧ガス入口を有するガス流路を形成しており、前記放出スプレーチップ組立体は、前記供給管の前記液体通路と連通する液体通路と、前記スプレーノズル組立体から液体を放出するための放出オリフィスとを有する、前記ノズル本体の下流端にある導電性材料で作られたスプレーチップを含む、請求項１に記載の噴霧乾燥システム。
【請求項１３】
前記細長い本体は、複数の円筒形モジュール、隣り合う前記円筒形モジュールを互いに解放可能に接続するためのクイックディスコネクト継手を含む多部品モジュール式構成を有し、前記円筒形モジュールの少なくとも１つは、選択的に取り外し可能であり、特定の噴霧用途のために前記乾燥チャンバの長さを変更するために交換可能であり、前記ライナは、取り外し可能であり、前記乾燥チャンバの前記変更された長さに対応する長さのライナと交換可能である、請求項１に記載の噴霧乾燥システム。
【請求項１４】
前記クイックディスコネクト継手は、解放可能なラッチである、請求項１３に記載の噴霧乾燥システム。
【請求項１５】
液体を前記液体供給部から前記スプレーノズル組立体の前記液体入口に導くためのポンプと、前記ポンプを駆動するための電気駆動モータとを含み、前記電気駆動モータは、前記静電スプレーノズル組立体により静電帯電された液体、又は前記スプレーノズル組立体を通って導かれる帯電した液体から前記電気モータへの帯電を防止するために、前記ポンプに対して電気的に絶縁されている、請求項１に記載の噴霧乾燥システム。
【請求項１６】
前記駆動モータは、非導電性駆動セグメントにより前記ポンプの駆動シャフトに接続された出力駆動シャフトを有する、請求項１３に記載の噴霧乾燥システム。
【請求項１７】
直立姿勢に支持された細長い構造本体と、
前記細長い本体内に乾燥チャンバを形成するための、前記細長い本体の互いに反対側の上端部及び下端部にある閉鎖機構と、
前記上端部の前記閉鎖機構内に支持された静電スプレーノズル組立体と
を備える、液体を乾燥させて粉体形態にするための静電噴霧乾燥システムであって、
前記静電スプレーノズル組立体は、ノズル本体を含み、前記ノズル本体は、乾燥させる液体を前記乾燥チャンバに導くための、前記ノズル本体の下流端部にある放出スプレーチップ組立体を有し、
前記静電スプレーノズル組立体は、前記乾燥チャンバ内に放出される液体の供給部に接続するための液体入口と、前記スプレーノズル組立体を通って前記放出スプレーチップ組立体から前記乾燥ゾーン内に放出される液体を帯電させるための電源に接続するための電極とを有し、
前記静電スプレーノズル組立体は、前記ノズル本体を通って加圧霧化ガスを導き、前記放出ノズル組立体から放出される静電帯電した液体を霧化するために加圧ガス源に接続するための霧化ガス入口を有し、
前記細長い本体の前記下端部の前記閉鎖機構は、粉体収集チャンバと、排出ガス出口を有するフィルタ要素ハウジングであって、前記フィルタ要素ハウジング及び前記排出ガス出口を通って前記粉体収集チャンバを出るガスから浮遊粒子状物質をフィルタリングするためのフィルタ要素ハウジングと、排出ガスを前記乾燥チャンバ及び前記乾燥ゾーンに再導入するように、前記排出ガス出口と前記細長い本体の前記上端部の前記閉鎖機構内の乾燥ガス入口との間に接続された再循環導管とを有する、静電噴霧乾燥システム。
【請求項１８】
前記乾燥チャンバに再導入する前に排出ガスを加熱するための、前記再循環導管内の加熱要素を含む、請求項１７に記載の静電噴霧乾燥システム。
【請求項１９】
前記霧化ガス入口は、不活性ガスの供給部に接続されており、前記不活性ガスが前記スプレーノズル組立体の前記霧化ガス入口に導かれるときに前記不活性ガスを加熱するためのヒータを含む、請求項１７に記載の静電噴霧乾燥システム。
【請求項２０】
前記静電スプレーノズル組立体により液体が排出される内部乾燥チャンバを前記細長い本体内に形成するように、前記細長い本体の内壁表面に対して離間して前記細長い本体内に同心状に配置された非構造性非金属ライナを含む、請求項１７に記載の静電噴霧乾燥システム。
【請求項２１】
前記非金属ライナは、前記静電噴霧乾燥システムの使用後の前記ライナの選択的な取り外し及び交換を可能にするために、前記細長い本体内に解放可能に支持されている、請求項２０に記載の静電噴霧乾燥システム。
【請求項２２】
液体を静電噴霧乾燥させる方法であって、
細長い構造本体と、前記細長い本体内に内部乾燥ゾーンを形成するように、前記細長い本体の内壁表面に対して離間して前記細長い本体内に同心状に配置された非構造性非金属の第１のライナと、乾燥させる静電帯電した液体を前記乾燥ゾーン内に導くための静電スプレーノズル組立体とを有する静電スプレードライヤを準備するステップと、
前記静電スプレードライヤの第１の選択された使用の間、前記静電スプレーノズル組立体により静電帯電した液体を前記乾燥ゾーン内に噴霧するステップと、
前記静電スプレードライヤの前記第１の選択された使用の後に、前記細長い本体から前記第１のライナを除去し、前記ライナを前記スプレードライヤの第２の選択された使用のための交換ライナと交換し、前記スプレードライヤの第２の選択された使用の間、前記交換ライナにより形成された乾燥ゾーン内に前記静電スプレーノズル組立体から静電帯電した液体を噴霧するステップと
を含む、方法。
【請求項２３】
前記第１のライナを、前記第１のライナとは異なるサイズの交換ライナと交換するステップを含む、請求項２２に記載の方法。
【請求項２４】
前記第１のライナを、前記第１のライナより大きい直径の加熱ゾーンを形成する交換ライナと交換するステップを含む、請求項２２に記載の方法。
【請求項２５】
前記第１のライナを、前記第１のライナより長い長さを有するライナと交換するステップを含む、請求項２２に記載の方法。
【請求項２６】
前記乾燥ゾーンに導かれる静電噴霧液体を、加熱した加圧不活性ガスにより霧化するステップを含む、請求項２２に記載の方法。
【請求項２７】
前記静電スプレードライヤの前記第１及び第２の選択された使用の間、加熱乾燥ガスを前記細長い構造本体のドライヤガス入口に導入し、連続使用のために、前記細長い構造本体の乾燥ガス出口から放出される前記乾燥ガスを前記細長い構造本体の前記乾燥ガス入口に再循環させるステップを含む、請求項２２に記載の方法。
【請求項２８】
前記乾燥出口から放出された後、前記乾燥ガス入口に導かれる前に前記再循環ガスを再加熱するステップを含む、請求項２７に記載の方法。
【請求項２９】
直立姿勢に支持された細長い構造本体と、
前記細長い本体内に乾燥チャンバを形成するための、前記細長い本体の互いに反対側の上端部及び下端部にある閉鎖機構と、
前記上端部の前記閉鎖機構内に支持されたスプレーノズル組立体と
を備える、液体を乾燥させて粉体にするためのスプレードライヤであって、
前記スプレーノズル組立体は、液体供給部に接続するための液体入口を有するノズル本体と、乾燥させる液体を前記乾燥チャンバに導くための、下流端部にある放出スプレーチップ組立体とを含み、
前記上端部の前記閉鎖機構は、前記乾燥チャンバに導かれる液体を乾燥させて粉体にするように、乾燥ガスを前記乾燥チャンバに導入するための乾燥ガス入口を有し、
前記細長い本体の前記下端部にある前記閉鎖機構は、前記乾燥ゾーン内で乾燥した粉体を収集するための粉体収集チャンバと、排出ガス出口を有するフィルタハウジングであって、前記フィルタ要素ハウジング及び前記排出ガス出口を通って前記粉体収集チャンバを出る乾燥ガスから、乾燥ガスが運ぶ粉体をフィルタリングするためのフィルタハウジングとを含み、
前記フィルタ要素ハウジングは、前記排出ガス出口と連通する排出チャンバの壁内に支持された複数の円筒形フィルタ要素を含み、
前記円筒形フィルタ要素はそれぞれ、一方の端部が閉鎖され、前記排出チャンバと連通する反対側の開放した軸方向端部を有することで、前記粉体収集チャンバを出る乾燥ガスは、前記フィルタ要素の円筒側面を通り、それにより、乾燥ガスにより運ばれる粉体が抑制され、次に乾燥ガスは、前記開放した軸方向端部を出て前記排出チャンバ及び前記排出ガス出口に進む、スプレードライヤ。
【請求項３０】
乾燥ガスを前記乾燥チャンバに再導入するように前記排出ガス出口と前記乾燥ガス入口との間に接続された再循環導管を含む、請求項２９に記載のスプレードライヤ。
【請求項３１】
前記フィルタ要素はそれぞれ、上端部の前記開放した軸方向端部が前記排出チャンバと連通する状態で、前記排出チャンバ壁に対して垂下するように支持されており、それにより、前記粉体収集チャンバ及び前記フィルタ要素ハウジング内に導かれた乾燥ガス及び粉体は、前記フィルタ要素の円筒側面を通過し、前記フィルタ要素の前記上部開放軸方向端部を出て前記排出チャンバに入る、請求項２９に記載のスプレードライヤ。
【請求項３２】
前記フィルタ要素はそれぞれ、前記フィルタ要素の下端部を閉鎖する封止プレート及び上端部の支持プレート、前記封止プレートと前記支持プレートとの間に接続された接続部材を含む、それぞれのフィルタカートリッジの一部であり、前記支持プレートは、前記円筒形フィルタ要素の前記上部開放軸方向端部と前記排出チャンバとの間を連通する中央開口部を有する、請求項３１に記載のスプレードライヤ。
【請求項３３】
前記フィルタ要素ハウジングは、外側円筒形ハウジング壁と、前記フィルタ要素を囲む内側円筒形シュラウドとを含み、前記内側円筒形シュラウド及び前記フィルタ要素の外側円筒形ハウジング壁は、前記乾燥チャンバと前記粉体収集チャンバとの間を連通する環状乾燥ガス通路を形成している、請求項２９に記載のスプレードライヤ。
【請求項３４】
前記粉体収集チャンバは、前記フィルタ要素ハウジングの下方に配置されており、前記フィルタ要素シュラウドは、前記粉体収集チャンバの中央領域の上を覆う開放下端部を有する、請求項３３に記載のスプレードライヤ。
【請求項３５】
前記排出チャンバは、前記内側円筒形シュラウドの上方に支持された下向きに開放した円錐形排出プレナムにより少なくとも部分的に形成されており、前記円錐形排出プレナムの外面が、乾燥ガス及び粉体を前記乾燥チャンバから、前記円筒形シュラウドと前記フィルタ要素ハウジングの外側ハウジング壁との間の前記環状通路内に案内する、請求項３３に記載のスプレードライヤ。
【請求項３６】
前記排出チャンバのフィルタ要素支持壁は、前記フィルタ要素が垂下するように支持される複数の円形開口部を有するように形成された円形プレートである、請求項２９に記載のスプレードライヤ。
【請求項３７】
前記乾燥チャンバの下面と前記フィルタ要素ハウジングとの間のガス導流プレナムを含み、前記粉体収集チャンバは、前記フィルタ要素ハウジングの下方に配置されており、前記フィルタ要素ハウジングは、外側円筒形ハウジング壁と、前記フィルタ要素を取り囲む内側円筒形シュラウドとを含み、前記外側円筒形壁及び前記内側円筒形シュランドは、前記ガス導流プレナムと前記粉体収集チャンバとの間を連通する環状乾燥ガス及び粉体通路を形成している、請求項２９に記載のスプレードライヤ。
【請求項３８】
前記排出チャンバは、前記ガス導流プレナム内に配置された下向きに開放した円錐形プレナムにより少なくとも部分的に形成されており、前記排出ガス出口は、前記円錐形プレナムの側部を通って連通しており、前記円錐形プレナムの上部外面は、乾燥ガス及び粉体を前記乾燥チャンバから前記環状通路内に導き、前記粉体収集チャンバ内に導くのに有効である、請求項３７に記載のスプレードライヤ。
【請求項３９】
前記フィルタハウジングからの粉体を前記粉体収集チャンバに導くための、前記フィルタ要素ハウジングの下面と前記粉体収集チャンバとの間の粉体導流コーンを含む、請求項３８に記載のスプレードライヤ。
【請求項４０】
前記粉体収集チャンバは、前記フィルタ要素ハウジングから前記粉体収集チャンバへ粉体を導くことを可能にする開放位置と、前記収集チャンバから粉体を除去することを可能にするために前記収集チャンバへの粉体の流れを妨げる閉鎖位置との間で動作可能なバルブを含む、請求項２９に記載のスプレードライヤ。
【請求項４１】
前記スプレーノズル組立体は、前記スプレーノズル組立体を通って前記放出スプレー組立体から前記乾燥ゾーン内に放出される液体を帯電させるために電源に接続するための電極を有する静電スプレーノズル組立体であり、前記ノズル本体は、前記ノズル本体を通って加圧霧化空気を導き、前記放出スプレーチップ組立体から放出される静電帯電した液体を霧化するために加圧ガス供給部に接続するための霧化ガス入口を有する、請求項２９に記載のスプレードライヤ。
【請求項４２】
前記フィルタ要素はそれぞれ、加圧ガスのパルスを前記円筒形フィルタ要素の内部に導き、前記フィルタ要素の外側円筒側面における粉体の蓄積を除去するように動作させるために、加圧ガスのパルスを前記円筒形フィルタ要素の内部に導くように周期的に動作可能なそれぞれの逆流ガスパルス導流装置を有する、請求項３１に記載のスプレードライヤ。
【請求項４３】
前記逆流ガスパルス導流装置の各々は、前記円筒形フィルタ要素の前記上部開放軸方向端部の中心にある放出端部を有するガス導流管を含み、各ガスパルス導流装置の前記ガス導流管は、それぞれの加圧制御バルブに接続された上流端部を有する、請求項４２に記載のスプレードライヤ。
【請求項４４】
各逆流ガスパルス導流装置の前記制御バルブは、前記それぞれの制御バルブと共通加圧ガスマニホルドチャンバとの間に接続され、加圧ガス源に接続可能な、それぞれのガス圧力供給ラインを有する、請求項４３に記載のスプレードライヤ。
【請求項４５】
各逆流ガスパルス導流管の前記放出端部は、前記それぞれのフィルタ要素の前記上部開放軸方向端部の上方に少なくとも約２インチの距離をおいて配置されている、請求項４２に記載のスプレードライヤ。
【請求項４６】
前記円筒形フィルタ要素の各々は、加圧ガスを前記円筒形フィルタ要素に導き、前記円筒形フィルタ要素の外面に蓄積した粉体を取り除くために、加圧ガス源に接続された選択的に動作可能な逆流ガスパルスノズルと、前記円筒形フィルタ要素を通り、前記排出チャンバと連通する前記開放軸方向端部を軸方向に通る乾燥ガスの流れを可能にする開放位置と、前記収集チャンバ内から前記排出チャンバへの乾燥ガスの前記流れを妨げかつ防止する閉鎖位置との間で移動するように取り付けられたプランジャとを有するそれぞれの逆流ガスパルスフィルタ洗浄装置を有し、前記プランジャは、前記逆流パルスノズルからの加圧ガスが、前記排出チャンバへの前記乾燥ガスの流れを伴わずに、前記円筒形フィルタ要素内に導かれ、前記円筒形フィルタ要素の前記円筒側面を通って外に導かれることを可能にするように、前記逆流パルスノズルを通る加圧ガスが導かれたときに、前記開放位置から前記閉鎖位置へ移動可能である、請求項２９に記載のスプレードライヤ。
【請求項４７】
各々の前記逆流ガスパルスノズルは、加圧ガスが導かれる中空の構成を有し、前記逆流パルスガスノズルは、前記排出チャンバ内に配置された第１の部分と、前記円筒形フィルタ要素内に配置され、実質的に前記円筒形フィルタ要素の長さで延びる第２の部分とを有し、前記プランジャは、前記逆流パルスノズルの前記第１の部分に沿って移動するように支持されている、請求項４６に記載のスプレードライヤ。
【請求項４８】
各々の前記逆流ガスパルスノズルの第１の部分は、前記逆流パルスノズルから前記プランジャシリンダ内へ加圧ガスを連通させ、前記プランジャを前記閉鎖位置に移動させることを可能にするための複数の穴を有するように形成されており、前記逆流パルスノズルの第２の部分は、前記バルブプランジャが前記第２の位置にあるとき、前記逆流パルスノズルから前記円筒形フィルタ要素へ、そして前記円筒形フィルタ要素の円筒側面の外方へ加圧空気が流れることを可能にするように、前記第１の部分内の前記穴よりもサイズが小さい複数の穴を有するように形成されている、請求項４７に記載のスプレードライヤ。
【請求項４９】
乾燥チャンバと、
前記乾燥チャンバ内にある量の液体を放出するように配置されたスプレーチップ組立体を有する静電スプレーノズルであって、前記静電スプレーノズル組立体に提供されるデューティサイクル信号に基づいて前記ある量の液体を放出するように構成されており、前記デューティサイクル信号は、前記静電スプレーノズルが前記ある量の液体を噴射するために開放又は閉鎖される期間を決定する、静電スプレーノズルと、
前記静電スプレーノズルと関連付けられ、前記デューティサイクル信号を前記静電スプレーノズルに提供するように動作するコントローラと
を備える、液体を乾燥させて粉体にするための静電噴霧乾燥システムであって、
前記コントローラは、
前記静電スプレー組立体のためのパルス幅変調（ＰＷＭ）動作モードをアクティブにし、
第１のタイマーを開始し、
前記第１のタイマーが第１のパルス期間に達していない間、第１のＰＷＭアクティブ化周波数で第１のデューティサイクル信号を前記静電スプレーノズルに提供し、
前記第１のタイマーが前記第１のパルス期間に達したときに第２のタイマーを開始し、
前記第２のタイマーが第２のパルス期間に達していない間、第２のＰＷＭアクティブ化周波数で第２のデューティサイクル信号を前記静電スプレーノズルに提供する
ようにプログラムされ、動作する、静電噴霧乾燥システム。
【請求項５０】
電圧源をさらに含み、前記静電スプレーノズルは、前記電圧源に接続され、前記スプレーチップ組立体を通って前記乾燥チャンバ内に放出される前記ある量の液体を静電帯電させるように構成されており、前記コントローラは、前記電圧源とさらに関連付けられ、前記電圧源の電圧設定点を制御するように構成されている、請求項４９に記載の静電スプレーシステム。
【請求項５１】
前記コントローラは、電圧制御動作モードがアクティブでないとき、前記ＰＷＭ動作モードをアクティブにするようにプログラムされている、請求項５０に記載の静電スプレーシステム。
【請求項５２】
前記コントローラは、前記電圧制御動作モードをアクティブにし、前記デューティサイクル信号が所定のＰＷＭアクティブ化周波数で維持される間、前記電圧源の前記電圧設定点を制御するようにさらにプログラムされている、請求項５１に記載の静電スプレーシステム。
【請求項５３】
前記第１のＰＷＭアクティブ化周波数は、前記第２のＰＷＭアクティブ化周波数より低い、請求項４９に記載の静電スプレーシステム。
【請求項５４】
前記静電スプレーノズルに提供される前記ある量の液体を噴射圧力まで加圧するように構成されたポンプをさらに備え、前記ポンプは、前記コントローラと関連付けられ、前記コントローラにより提供される圧力信号に応じて前記噴射圧力を設定するように動作し、前記コントローラは、時間と共に前記噴射圧力を選択的に変えるようにさらにプログラムされている、請求項４９に記載の静電スプレーシステム。
【請求項５５】
前記静電スプレーノズルは、前記乾燥チャンバ内に放出される前記液体を霧化するために前記ある量の液体と混ざり合う加圧ガスを受けるように構成されている、請求項４９に記載の静電スプレーシステム。
【請求項５６】
ある量のガスを前記静電スプレーノズルに提供される前記加圧ガスにするように霧化ガス圧力まで圧縮するように構成された圧縮機をさらに備え、前記圧縮機は、前記コントローラと関連付けられ、前記コントローラにより提供されるガス圧力信号に応じて、前記霧化ガス圧力を設定するように動作し、前記コントローラは、前記霧化ガス圧力を選択的に変えるようにさらにプログラムされている、請求項５５に記載の静電スプレーシステム。
【請求項５７】
前記コントローラと関連付けられ、前記コントローラにより提供されるガス温度コマンド信号に応じて、前記加圧ガスを霧化ガス温度まで加熱するように構成されたガスヒータをさらに備え、前記コントローラは、時間と共に前記ガス温度コマンド信号を選択的に変えるようにさらに構成されている、請求項５５に記載の静電スプレーシステム。
【請求項５８】
前記乾燥チャンバを通る乾燥ガスの流れを提供するように構成されたファンをさらに備え、前記乾燥ガスは、乾燥ガス調節モジュールにおいて選択的に決定される含水率及び温度で提供され、前記調節モジュールは、前記コントローラと関連付けられ、前記コントローラから提供される信号に応じて、前記乾燥ガスの流れの前記含水率及び温度を選択的に設定し、前記コントローラは、前記乾燥ガスの流れの前記含水率及び温度の少なくとも一方を選択的に変えるようにプログラムされている、請求項４９に記載の静電スプレーシステム。
【請求項５９】
前記ファンは、ある質量空気流量で前記乾燥ガスの流れを選択的に提供するように構成されており、前記質量空気流量は、前記コントローラからの制御信号に基づいて決定され、前記コントローラは、時間と共に前記質量空気流量を選択的に変えるようにさらにプログラムされている、請求項５８に記載の静電スプレーシステム。
【請求項６０】
静電スプレーシステムにおいて凝集物のサイズを制御する方法であって、
液体の流れを乾燥チャンバ内に放出するように構成された静電スプレーを準備することと、
パルス幅変調（ＰＷＭ）信号を用いて前記静電スプレーをアクティブにすることと、
第１のアクティブ化周波数の第１のデューティサイクルを有する第１のＰＷＭ信号と第２のアクティブ化周波数の第２のデューティサイクルを有する第２のＰＷＭ信号とを交互させることであって、前記第１のアクティブ化周波数は前記第２のアクティブ化周波数よりも低い、交互させることと、
凝集物を第１のサイズに凝縮させるように、第１の時間にわたり前記第１のＰＷＭ信号で前記静電スプレーを動作させることと、
凝集物を第２のサイズに凝縮させるように、第２の時間にわたり前記第２のＰＷＭ信号で前記静電スプレーを動作させることと
を含み
前記第２のサイズは、前記第１のサイズより大きく、
前記凝集物の平均サイズを制御することは、動作中に前記１の時間及び前記２の時間を調節することを含む、方法。
【請求項６１】
電子コントローラが、前記第１及び前記第２のＰＷＭ信号を前記静電スプレーに提供するために使用される、請求項６０に記載の方法。
【請求項６２】
前記静電スプレーに伝えられる電位を選択的に調整することをさらに含む、請求項６０に記載の方法。
【請求項６３】
前記液体の流れを噴射圧力まで加圧することをさらに含み、前記方法は、時間と共に前記噴射圧力を選択的に変えることをさらに含む、請求項６０に記載の方法。
【請求項６４】
前記乾燥チャンバに放出される前記液体の流れを霧化するために、霧化ガス圧力で加圧ガスを前記静電スプレーに提供することをさらに含み、前記方法は、前記霧化ガス圧力を選択的に変えることをさらに含む、請求項６０に記載の方法。
【請求項６５】
霧化ガス温度で前記加圧ガスを前記静電スプレーに提供することをさらに含み、前記方法は、前記霧化ガス温度を選択的に変えることをさらに含む、請求項６４に記載の方法。
【請求項６６】
前記乾燥チャンバを通して乾燥ガスの流れを提供することをさらに含み、前記乾燥ガスは、ある含水率及び温度で提供され、前記方法は、前記乾燥ガスの流れの前記含水率を変えることをさらに含む、請求項６０に記載の方法。
【請求項６７】
前記乾燥ガスの流れの前記温度を変えることをさらに含む、請求項６６に記載の方法。
【請求項６８】
前記乾燥ガスの流れは、ある質量空気流量で提供され、前記方法は、前記質量空気流量を選択的に変えることをさらに含む、請求項６６に記載の方法。
【発明の詳細な説明】
【技術分野】
【０００１】
（関連出願の相互参照）
[0001]  本特許出願は、引用により組み入れられる、２０１５年１１月３日出願の米国特許出願第６２／２５０，３１８号の利益を主張する。
【０００２】
[0002]  本発明は、一般に、スプレードライヤに関し、より具体的には、液体を噴霧乾燥させて乾燥粉体形態にするための装置及び方法に関する。
【背景技術】
【０００３】
[0003]  噴霧乾燥は、液体スラリを乾燥チャンバ内に噴霧し、乾燥チャンバ内に加熱空気を導入し、液体を乾燥させて粉体にする、周知の広く使用されているプロセスである。スラリは、一般的に、水などの液体、食品、風味（ｆｌａｖｏｒ）、若しくは医薬品などの成分、及び担体を含む。乾燥プロセスの間、液体は取り去られ、成分は、担体内にカプセル封入された粉体の形態で残る。噴霧乾燥はまた、種々の食品、添加物及び化学物質のような、カプセル封入を必要としない粉体の生成にも用いられる。
【０００４】
[0004]  粉体乾燥システムは、一般に、構造が比較的大規模であり、何階もの高さに達し得る乾燥タワーを有する。実質的な設備投資は、機器自体だけではなく、使用される施設が、こうした機器を収容するのに十分なサイズ及び設計のものでなければならない。乾燥媒体の加熱要件も費用がかかるものであり得る。
【０００５】
[0005]  より迅速な乾燥を容易にする帯電した粒子を生成するために静電スプレーノズルを使用することが望ましいが、こうしたスプレードライヤシステムの大部分が鋼構造であるため、特に誤って接地した場合、静電帯電した液体が、電気制御装置の動作を妨げ、動作を中断し得るような方法で、システムの構成要素を帯電させ、帯電していない液体の放出をもたらし、液体が仕様に従って乾燥されないことがある。
【０００６】
[0006]  帯電した液体からシステムをよりよく絶縁するために、非金属材料で作られた静電スプレードライヤの乾燥チャンバを形成することが知られているが、粒子が乾燥チャンバの壁に付着して蓄積し、時間のかかる洗浄を必要とすることがあり、それによりシステムの使用が中断される。さらに、乾燥チャンバ内の加熱空気の雰囲気内の非常に微細な乾燥粉体が、不注意によるスパーク、又は静電スプレーノズル若しくはシステムの他の構成要素の故障により危険な爆発条件を生じさせることがある。
【０００７】
[0007]  こうしたスプレードライヤシステムはまた、異なる形態の液体スラリを噴霧乾燥するようにも動作可能でなければならない。例えば風味付け（ｆｌａｖｏｒｉｎｇ）産業において、１つの工程（ｒｕｎ）においてシトラス風味の材料を用いてシステムを動作させる一方で、次の動作においてコーヒー風味の材料を使用する必要があることがある。乾燥チャンバの壁に付着する残りの風味材料が、後に処理される製品の味を汚染することがある。もちろん、医薬品の分野においては、医薬品の連続する工程が交差汚染されないことは必須である。
【０００８】
[0008]  さらに、既存のスプレードライヤシステムは、容易な汎用性に欠ける。大規模な乾燥システム全体の利用を必要としない、より小さいロットの乾燥用製品を実行することが望ましいこともある。さらに、特定の用途のために材料をシステム内に噴霧及び乾燥する方法を変更することが望ましいことがある。さらに他の処理において、使用する液体により迅速に溶解するなど、最終的な使用をより容易にするために、乾燥中、微細粒子が凝集することが望ましいことがある。しかしながら、既存のスプレーは、処理要件におけるこうした変化に適合させるための容易な変更には適していない。
【０００９】
[0009]  スプレードライヤはさらに、非常に微細な粒子を生成する傾向があり、この微細な粒子は、ドライヤシステムを出ていく乾燥ガスにおいて空中に残ることがあり、それを、システムを出ていくガスからフィルタリングする必要がある。こうした微細な粒子状物質は、フィルタをすぐに詰まらせ、ドライヤの効率的な動作を妨げ、フィルタの頻繁な洗浄を必要とし得る。既存のスプレードライヤはまた、一般に、空中の粒子状物質を除去するために、複雑なサイクロン分離及びフィルタ構成も利用してきた。こうした機器は高価であり、費用のかさむ保守及び洗浄を必要とする。
【発明の概要】
【００１０】
[0010]  本発明の目的は、より効率的で汎用性のある動作用に構成されたスプレードライヤシステムを提供することである。
【００１１】
[0011]  別の目的は、サイズが比較的小さく、動作がより確実な、上で特徴付けられたような静電スプレードライヤシステムを提供することである。
【００１２】
[0012]  さらに別の目的は、高さが比較的低く、かつ、特別な組立て又は上限要件なしで場所に取り付け、動作させることができる静電スプレードライヤシステムを提供することである。
【００１３】
[0013]  更なる目的は、交差汚染なしに異なる製品ロットを噴霧乾燥するのに有効な上記のタイプの静電スプレードライヤシステムを提供することである。
【００１４】
[0014]  更に別の目的は、特定の乾燥用途のためにサイズ及び処理技術の両方を容易に変更可能な上記の種類の静電スプレードライヤシステムを提供することである。
【００１５】
[0015]  更なる目的は、微細粒子を凝集させて後の使用をより容易にする形態にすることを可能にする方法で粉体を乾燥するように動作可能な静電スプレードライヤシステムを提供することである。
【００１６】
[0016]  更に別の目的は、より低い加熱要件で、従って、より経済的に有効に動作することができる静電スプレードライヤシステムを提供することである。関連した目的は、温度感受性化合物を有効に乾燥するように動作可能なこうしたタイプのスプレードライヤシステムを提供することである。
【００１７】
[0017]  別の目的は、異なる容量の乾燥要件のためにモジュールを選択的に用いることができ、スプレードライヤシステムの動作を停止することなく、修理、保守及びモジュール交換を行うのに適している、モジュール式静電スプレードライヤシステムを提供することである。
【００１８】
[0018]  更に別の目的は、微細粉体及びシステムの乾燥チャンバ内の加熱雰囲気による電気的故障及び危険な爆発が生じにくい、上記のタイプの静電スプレードライヤシステムを提供することである。関連した目的は、システムの可能な電気的故障を監視し制御するのに有効な、こうしたスプレードライヤシステムに対する制御を提供することである。
【００１９】
[0019]  別の目的は、ドライヤを出る乾燥ガスから空中の粒子状物質をより有効かつ効率的に除去するためのフィルタシステムを有し、そして保守要件がより少ない、こうしたタイプのスプレードライヤシステムを提供することである。
【００２０】
[0020]  更なる目的は、乾燥ガスフィルタシステムが、フィルタ上への粒子状物質の蓄積を自動的かつより有効に除去するための手段を含む、上記に特徴付けられたスプレードライヤシステムを提供することである。
【００２１】
[0021]  更なる目的は、構成が比較的簡単であり、経済的な製造に適している、こうした静電スプレードライヤシステムを提供することである。
【００２２】
[0022]  本発明の他の目的及び利点は、以下の詳細な説明を読み、図面を参照することによって明らかになるであろう。
【図面の簡単な説明】
【００２３】
[0023]
【図１】示されるスプレードライヤシステムの粉体処理タワーの側面図である。
【図２】図１に示される粉体処理タワーの垂直断面である。
【図３】示される粉体処理タワーの分解斜視図である。
【図３Ａ】示される粉体処理タワーと共に使用可能な、組み立てられていない可撓性不透過性ライナの平面図である。
【図３Ｂ】図３Ａに示されるものに類似するが、透過性フィルタ材料で作成された、ライナの代替的な実施形態の平面図である。
【図３Ｃ】示される粉体処理タワーと共に使用可能な、この場合は一部分が不透過性材料で作成され、一部分が透過性材料で作成されたライナの別の代替的な実施形態の平面図である。
【図３Ｄ】示される粉体処理タワーと共に使用可能な、この場合は不透過性非導電性の硬質材料で作成されたライナの別の代替的な実施形態の平面図である。
【図４】静電スプレーノズルが内部の中央に支持される、示される粉体処理タワーの上部キャップ又は蓋の拡大上面図である。
【図５】図４に示される上部キャップ及びスプレーノズル組立体の側面図である。
【図６】示される静電スプレーノズル組立体の拡大垂直断面である。
【図７】示される静電スプレーノズル組立体のヘッドを支持するノズルの拡大部分断面である。
【図８】示される静電スプレーノズル組立体の放出端部の拡大部分断面である。
【図８Ａ】より粘性の液体の噴射を容易にように放出スプレーチップが変更された、スプレーノズル組立体を示す、図８に類似した部分断面である。
【図９】図８の線９−９で取られた、示される静電スプレーノズル組立体の横断面である。
【図１０】示される粉体処理タワーの粉体収集コーン及びフィルタ要素ハウジングの拡大部分断面である。
【図１０Ａ】図１０に示される粉体収集コーン及びフィルタ要素ハウジングの分解斜視である。
【図１１】示される粉体処理タワーと共に用いられるフィルタ要素ハウジングの代替的な実施形態の部分断面における側面図である。
【図１１Ａ】非稼働状態における逆流（ｒｅｖｅｒｓｅ）ガスパルスフィルタ洗浄装置を示す、図１１に示されるフィルタハウジングのフィルタの１つの拡大部分断面である。
【図１１Ｂ】稼働状態における逆流ガスパルス空気フィルタ洗浄装置を示す、図１１Ａに類似した拡大部分断面である。
【図１２】フィルタ要素ハウジング及び粉体収集チャンバの代替的な実施形態の側面図である。
【図１２Ａ】図１２に示されるフィルタ要素ハウジング及び粉体収集チャンバの上面図である。
【図１２Ｂ】図１２に示されるフィルタ要素ハウジング及び粉体収集チャンバの拡大部分切り欠き図である。
【図１２Ｃ】図１２に示されるフィルタ要素ハウジング及び関連した上流空気導流プレナムの分解斜視である。
【図１３】関連した上部ライナ・隔離リング組立体を用いて上部カバーを乾燥チャンバに固定するための締結構成を示す部分断面である。
【図１３Ａ】図１２に類似するが、関連した底部ライナ・隔離リング組立体を用いて乾燥チャンバを粉体収集コーンに固定するための締結構成を示す部分断面である。
【図１４】示されるファスナの１つの拡大部分図である。
【図１５】示されるスプレードライヤシステムの概略である。
【図１５Ａ】溶融した流れストリームを噴霧冷却して固化粒子にするように動作可能なスプレードライヤの代替的な実施形態の概略である。
【図１６】示される噴霧乾燥システムのための流体供給ポンプ及びその関連した駆動モータを示す部分断面である。
【図１６Ａ】外側非導電性ハウジング内に支持される示される流体供給ポンプの垂直断面である。
【図１７】示される絶縁ライナ及びその隔離リング支持組立体の拡大上面図である。
【図１８】図１７に類似するが、より小さい直径の絶縁ライナを支持する隔離リング組立体を示す拡大上面図である。
【図１９】複数の静電スプレーノズル組立体を支持する示される粉体処理タワーの上部キャップの拡大側面図である。
【図２０】図１９に示される上部キャップの上面図である。
【図２１】乾燥のために噴霧液体の上向き方向に対して乾燥チャンバの底部に隣接して静電スプレーノズルを支持するように修正された、示される粉体処理タワーの垂直断面である。
【図２２】図２１に示される静電スプレーノズル組立体の下部取り付け支持部の側面線図である。
【図２３】図２２に示される静電スプレーノズル組立体及び下部取り付け支持部の上面図である。
【図２４】図２２及び図２３に示されるスプレーノズル底部取り付け支持部のための指示ロッドの１つの拡大セクションである。
【図２５】例証的な粉体乾燥システムについての代替的な剛性を示すチャートである。
【図２５Ａ】フレッシュ窒素ガスがシステムのガス再循環ラインに導入されるスプレードライヤシステムの代替的な実施形態の概略である。
【図２５Ｂ】再循環乾燥ガスストリームから粒子状物質をフィルタリングするためにサイクロン分離器／フィルタバッグ組立体を用いる、スプレードライヤシステムの別の代替的な実施形態の概略である。
【図２５Ｃ】図２５Ｂに類似した、サイクロン分離器内で分離された乾燥微細粒子が乾燥チャンバに再導入される、代替的な実施形態である。
【図２５Ｄ】再循環乾燥ガスから粒子状物質をフィルタリングするための複数の流動床フィルタを有するスプレードライヤシステムの別の代替的な実施形態である。
【図２６】本開示による、静電スプレードライヤシステムで用いられる電圧発生装置障害回復方法を動作させる方法についてのフローチャートである。
【図２７】本開示による静電スプレードライヤシステムで用いられる静電スプレーノズルにおけるパルス幅を変調させる方法についてのフローチャートである。
【図２８】複数の粉体処理タワーを有するモジュール式スプレードライヤシステムの上面図線図である。
【図２９】図２８に示されるモジュール式スプレードライヤシステムの前部平面図である。
【図３０】図２８に類似するが、付加的な粉体処理タワーを有する、モジュール式スプレードライヤシステムの上面図である。
【発明を実施するための形態】
【００２４】
[0071]  本発明は、種々の修正及び代替的な構成を受け入れることができるが、本発明の特定の例示的な実施形態が図面に示され、詳細に後述される。しかしながら、本発明を開示される特定の形態に限定することを意図するものではなく、反対に、本発明の趣旨及び範囲内に含まれる全ての修正、代案、構成及び均等物を網羅することを意図することを理解されたい。
【００２５】
[0072]  ここでより詳細に図面を参照すると、直立した円筒形構造の形態の乾燥チャンバ１２を含む処理タワー１１と、加熱空気入口１５及び液体スプレーノズル組立体１６を有する乾燥チャンバ１２用のカバー又は蓋１４の形態の上部閉鎖機構及び乾燥チャンバ１２の底部に支持される粉体収集コーン１８の形態の底部閉鎖機構と、粉体収集コーン１８が延び、加熱空気排出出口２０を有するフィルタ要素ハウジング１９と、底部粉体収集チャンバ２１とを含む、本発明による例示的な噴霧乾燥システム１０が示される。乾燥チャンバ１２、収集コーン１８、フィルタ要素ハウジング１９及び粉体収集チャンバ２１は全て、ステンレス鋼で作成されることが好ましい。上部カバー１４は、プラスチック又は他の非導電性材料で作成されることが好ましく、この場合は、スプレーノズル組立体１６を中央に支持する。示される加熱空気入口１５は、加熱空気を乾燥チャンバ１２内に旋回接線方向に導くように向けられる。フレーム２４は、処理タワー１１を直立状態に支持する。
【００２６】
[0073]  本実施形態の重要な態様によれば、図６〜図９に最も良く示されるように、スプレーノズル組立体１６は、静電帯電した粒子の噴霧をドライヤチャンバ１２内に導き、液体スラリを迅速かつ効率的に乾燥させて所望の粉体形態にするための、加圧空気アシスト静電スプレーノズル組立体である。示されるスプレーノズル組立体１６は、国際出願第ＰＣＴ／ＵＳ２０１４／０５６７２８号に開示されるタイプのものとすることができ、ノズル支持ヘッド３１と、ヘッド３１から下流に延びる細長いノズルバレル又は本体３２と、細長いノズル本体３２の下流端部の放出スプレーチップ組立体３４とを含む。ヘッド３１は、この場合は、プラスチック又は他の非導電性材料で作成され、液体供給部と連通する供給ライン１３１に接続するための液体入口取付具３８を受け、これと連通する半径方向液体入口通路３６を有するように形成される。供給液体は、乾燥させて、水などの溶媒と、風味、食品、医薬品等などの所望の成分と、担体とを有する液体スラリを含む粉体形態にすることができ、当技術分野において周知のように、乾燥させて粉体形態にする際、所望の成分が担体内にカプセル封入される、種々のスラリ又は同様の液体のいずれかとすることができることが理解されるであろう。担体を含まない液体又は乾燥した製品のカプセル封入を必要としない液体を含む、他の形態のスラリを用いることもできる。
【００２７】
[0074]  ノズル支持ヘッド３１は、この場合は、適切な加圧ガス供給部に接続された空気入口取付具４０を受け、これと連通する液体入口通路３６の下流に半径方向の加圧空気霧化（ａｔｏｍｉｚｉｎｇ）入口通路３９を有するように形成される。ヘッド３１はまた、高電圧源に接続され、かつ、ヘッド３１内に軸方向に支持され、液体入口通路３６の下流に延びる電極４８と電気接触するように通路４１内に延びる端部４４ａを有する高電圧ケーブル４４を固定するための取付具４２を受ける、液体入口通路３６の上流の半径方向通路４１も有する。
【００２８】
[0075]  液体がヘッド３１を通るのを可能にするために、電極４８は、液体入口通路３６と連通し、電極４８を通って下流に延びる内部軸方向通路４９を有するように形成される。電極４８は、液体入口通路３６と内部軸方向通路４９との間を連通する複数の半径方向通路５０を有するように形成される。示される電極４８は、封止Ｏリング５２が間に挿置された状態でヘッド３１の座ぐり内に嵌合する下流外方に延びる半径方向ハブ５１を有する。
【００２９】
[0076]  細長い本体３２は、ヘッド３１のねじ付きボア内にねじ係合される上流端部５５ａを有する、プラスチック又は他の適切な非導電性材料で作成された外側円筒形本体部材５５の形態であり、封止Ｏリング５６が円筒形本体部材５５とヘッド３１との間に挿置される。ステンレス鋼又は他の導電性金属で作成された液体供給管５８が、外側円筒形本体部材５５を通って軸方向に延び、軸方向電極液体通路４９と放出スプレーチップ組立体３４との間で液体連通するための液体流路５９と、液体供給管５８と外側円筒形本体部材５５との間の環状霧化空気通路６０を形成する。外側円筒形本体部材５５のねじ付き入口端部５５ａの上に突出する液体供給管５８の上流端部は、導電態様で電極ハブ５１内の下向きに開放する円筒形ボア６５に嵌合する。高電圧ケーブル４４により充電される電極４８に関して、入口通路３６への液体供給は、液体が細長いノズル本体３２の全長に沿って電極通路４９及び液体供給管５８を通って進む際に帯電されることが分かるであろう。加圧ガスは、この場合、液体供給管５８の上流端部の周りに半径方向空気入口通路３９を通り、次に液体供給管５８と外側円筒形本体部材５５との間の環状空気通路６０内に伝わる。
【００３０】
[0077]  液体供給管５８は、電極４８と電気接触するように配置され、ヘッド３１から細長いノズル本体部材３２を通って放出スプレーチップ組立体３４へ、その通路全体にわたって液体を効率的に帯電させる。そのため、放出スプレーチップ組立体３４は、封止Ｏリング７２が間に挿置された状態で、液体供給管５８の下流端部に対して取り囲む関係の上流円筒形セクション７１を有するスプレーチップ７０を含む。スプレーチップ７０は、内方にテーパするすなわち円錐形の中間セクション７４と、スプレーチップ７０の円筒形流路７５及び液体放出オリフィス７８を形成する下流円筒形ノーズセクション７６とを含む。明らかになるように、スプレーチップ７０は、この場合、複数の空気通路７７を形成する上流円筒形セクション７１の外方に延びるセグメント化した半径方向保持フランジ７８を有する。
【００３１】
[0078]  液体がスプレーチップ７０を通って導かれるときに液体を引き続き静電帯電させながら、液体を供給管５８からスプレーチップ７０内に流すために、導電性ピンユニット８０が、供給管５８の下流端部に対して導電接触するようにスプレーチップ７０内に支持される。ピンユニット８０は、この場合、スプレーチップ７０の円錐形中間セクション７４内に支持される下流円錐形壁セクション８２を有するように形成された上流円筒形ハブセクション８１を含む。円筒形ハブセクション８１は、液体供給管５８と円筒形スプレーチップ通路セクション７５との間を連通する周方向に離間した複数の半径方向液体流路８３（図８）を有するように形成される。導電性ピンユニット８０は、スプレーチップ７０内に着座されたとき、液体供給管５８の下流端部と当接するように物理的に支持することが分かる。
【００３２】
[0079]  スプレーチップから放出する液体に電荷を集中させるために、ピンユニット８０は、スプレーチップ通路７５に対して同心状の態様で支持される下向きに延びる中央電極ピン８４を有し、液体放出オリフィス７８が電極ピン８４の周りに環状に配置される。電極ピン８４は、環状スプレーチップ放出オリフィス７８を超えて、約１／４インチから１／２インチまでの間のようなある距離を延びる、徐々にテーパする先の尖った端部を有する。液体がスプレーチップ７０を出るときに、突出する電極ピン８４の周りの液体の接触の増大は、放出する液体への電荷の集中をさらに高め、液体粒子の絶縁破壊及び分散を高める。
【００３３】
[0080]  代替的に、図８Ａに示されるように、より粘性の液体を噴霧するとき、放出スプレーチップ組立体３４は、上述のものに類似するが、下向きに延びる中央電極ピン８４を有さないハブセクション８１を有することができる。この構成は、スプレーチップを通るより粘性の液体をより自由に通過させる一方で、放出する液体への帯電が液体の絶縁破壊をさらに高め、こうした粘性液体をより効率的に乾燥させる。
【００３４】
[0081]  放出スプレーチップ組立体３４は、スプレーチップ７０の周りに配置された空気又はガスキャップ９０をさらに含み、この空気又はガスキャップ９０は、スプレーチップ７０の周りに環状霧化空気通路９１を形成し、スプレーチップ７０、ピンユニット８０及び液体供給管５８を互いに組み立てられた導電関係に保持する。この例では、空気キャップ９０は、スプレーチップ７０の下流端部の周りに円錐形の加圧空気流路セクション９１ａを形成し、この円錐形加圧空気流路セクション９１ａは、スプレーチップ保持フランジ７８内の周方向に離間した空気通路７７を介して、液体供給管５８と外側円筒形本体部材５５との間の環状空気通路６０と連通し、スプレーチップノーズ７６の周りの環状放出オリフィス９３を通る加圧空気又はガス放出ストリーム、及び、噴射チップ液体放出オリフィス７８から放出する液体を導く。スプレーノズルの内部構成要素を組み立てられた関係に保持するために、空気キャップ９０は、外側円筒形部材５５の下流外側ねじ付き端部の周りにねじ係合する上流円筒形端部９５を有する。空気キャップ９０は、スプレーチップ７０を支持するため、従って、ピンユニット８０及び液体供給管５８を上流の電極４８と導電態様で支持するように、スプレーチップ７０のセグメント化した半径方向フランジ７８を受け、これを支持する座ぐり９６を有する。
【００３５】
[0082]  スプレーノズル組立体１６は、静電帯電した液体粒子の噴霧を乾燥チャンバ１２内に放出するように動作可能である。実際に、示される静電スプレーノズル組立体１６は、直径が７０ミクロンのオーダーのような、極めて微細な液体粒子の液滴を生成するように動作可能であることが分かっている。明らかになるように、乾燥チャンバ内に導入されるこうした微細な液体噴霧粒子及び加熱乾燥ガスの絶縁破壊及び反発性質のために、加熱空気入口１５及び空気アシストスプレーノズル組立体１６の両方から、液体粒子は迅速かつ効率的な乾燥を受けて微細粒子の形態にされる。示される静電スプレーノズル組立体１６は、本発明に関連して特定の有用性を有することが分かっているが、周知のタイプの油圧式静電回転スプレーノズル及び高容量低圧静電スプレーノズルを含む、他の静電スプレーノズル及びシステムも使用できることが理解されるであろう。
【００３６】
[0083]  本実施形態のさらに重要な特徴に従うと、乾燥チャンバ１２は、スプレーノズル組立体１６からの静電帯電した液体噴霧粒子が放出される乾燥チャンバ１２の内壁表面１２ａに同心状に離間して配置された内部の非金属絶縁ライナ１００を有する。図２に示されるように、ライナは、乾燥チャンバ１２の外壁表面１２ａに対して、好ましくは少なくとも２インチ（約５ｃｍ）の絶縁空気間隔１０１を与えるように、乾燥チャンバ１２の内径ｄ’より少ない直径ｄを有するが、他の寸法を用いることもできる。この実施形態において、ライナ１００は、好ましくは不透過性の可撓性プラスチック材料１００ａ（図３及び図３Ａ）で作成された非構造性のものである。代替的に、明らかになるように、ライナ１００は、硬質不透過性非導電性材料１００ｃ（図３Ｄ）、透過性フィルタ材料１００ｂ（図３Ｂ）、又は部分的に不透過性材料１００ａかつ部分的に透過性フィルタ材料１００ｂ（図３Ｃ）で作成されてもよい。
【００３７】
[0084]  本実施形態の別の態様によると、処理タワー１１は、乾燥チャンバ１２の外壁に対して電気的に絶縁するように環状ライナ１００の組み立て及び取り付けを容易にするクイックディスコネクト（ｑｕｉｃｋ  ｄｉｓｃｏｎｎｅｃｔ）組み立て構成を有する。このため、環状絶縁ライナ１００は、それぞれの上部及び下部隔離リング組立体１０４（図１、図３、図１３、図１３Ａ、図１４及び図１７）により両端で支持される。この場合の各リング組立体１０４は、ライナ１００の端部が取り付けられる内部円筒形隔離リング１０５と、隔離リング１０５に対して外方に延長した半径方向に固定された複数の周方向に離間した非導電性、ポリプロピレン又は他のプラスチックの隔離スタッド１０６とを含む。示される実施形態において、ライナ１００の上端部は、上部リング組立体１０４の隔離リング１０５の上部に折り重ねられ、ライナ１００及び隔離リング１０５（図１３）の折り重ね端部の上に配置された環状のＵ字構成ゴムガスケット１０８によりそこに取り付けられる。ライナ１００の下端部は、下部リング組立体１０４の隔離リング１０５の底部の周りに同じように向けられ、類似のゴムガスケット１０８（図１３）によりそこに固定される。類似のゴムガスケット１０８はまた、ライナ１００を隔離リング１０５の露出した縁部による損傷から保護するために、リング組立体１０４の円筒形隔離リング１０５の両端内に支持される。
【００３８】
[0085]  各隔離リング組立体１０４を乾燥チャンバ１２内に固定するために、それぞれの取り付けリング１１０が、例えば溶接によって、乾燥チャンバ１２の外側に取り付けられる。ステンレス鋼の取り付けねじ１１１は、絶縁隔離スタッド１０６にねじ係合するように、取り付けリング１１０及び乾燥チャンバ１２の外壁内の位置合わせされた穴を通って延びる。ゴムＯリング１１２は、この例では、乾燥チャンバ１２の内壁を封止するように、各隔離スタッド１０６の端部の周りに提供され、ネオプレン接続封止座金１１４が、各保持ねじ１１１のヘッドの周りに配置される。
【００３９】
[0086]  乾燥チャンバ１２の上部カバー１４を、上部隔離リング組立体１０４に対して封止するように乾燥チャンバ１２上の適所に固定するために、隔離スタッド１０６の中間の周方向に離間した位置において、離間した解放可能なラッチ組立体１２１の環状アレイ１２０（図１及び図２）が、取り付けリング１１０（図１３〜図１４）に固定される。ラッチ組立体１２１は、カバー１４の上部周縁部の上に配置可能であり、上部カバー１４を、隔離リング１０５の上縁部の周りのＵ形状ガスケット１０８及び円筒形乾燥チャンバ１２の上縁部の周りの類似した大きい直径の環状Ｕ形状ガスケット１２６に対して保持するために、ラッチ位置へのラッチアーム１２４の下向きのピボット運動が生じたときにロック位置に引き込まれる、上向きに延びるドローフック１２２を有する周知のタイプのものとすることができる。ラッチ組立体１２１は、必要時に上部カバー１４の取り外しを可能にするように、ラッチフック１２４を逆ピボット運動して、ドローフック１２２を上向き及び外方に動かすことにより容易にラッチ解除することができる。ラッチ組立体１２１の同様の環状アレイ１２０ａが、乾燥チャンバ１２の底部に隣接して取り付けリング１１０の周りに提供され、この場合、ドローフック１２４は、収集コーン１８の外方に延びるフランジ１２９に対して上に重なるように下方に配置され、ゴムガスケット１０８、１２６に対して封止する関係の収集コーン１８のフランジ１２９を、隔離リング１０５の底縁部及び乾燥チャンバ１２の円筒形底縁部（図１３Ａ）の周りに保持する。特定の用途において、ライナ１００、Ｏリング及び他の封止ガスケット１０８、１２６は、ＦＤＡ準拠材料で作成されても又はされなくてもよいことが理解されるであろう。
【００４０】
[0087]  静電スプレーノズル組立体１６の動作中、この場合は図１５に示されるような液体保持タンク１３０である液体供給部から静電スプレーノズル組立体１６に供給される液体は、静電スプレーノズル組立体１６により、環状ライナ１００によって形成される有効乾燥ゾーン１２７内に導かれる。液体は、液体供給保持タンク１３０から、好ましくは従来の方法で動作可能な液体導流ローラシステムを有する蠕動ドージングポンプであるポンプ１３２を介して、スプレーノズル組立体１６の液体入口取付具３８に接続された液体供給部又は送給ライン１３１を通して供給される。図１６Ａに示されるように、蠕動ドージングポンプ１３２は、この場合、プラスチックポンプハウジング１３７内にプラスチックの電気的に絶縁された３つのポンプローラ１３３を含む。液体供給部又は送給ライン１３１は、この場合、電気的に遮蔽された管類であり、ステンレス鋼製乾燥チャンバ１２は、金属対金属の接触によりこれを固定する支持フレーム２４を通じて、承認された接地ラインにより接地されることが好ましい。
【００４１】
[0088]  電子コントローラ１３３が、種々のアクチュエータ、及び電気モータ１３４、ポンプ１３２、液体スプレーノズル組立体１６、電圧を高電圧ケーブル４４に提供する、高電圧発生装置等のような静電スプレードライヤシステムの電気又は電子装置に動作可能に接続され、それらの動作を制御するように動作する。単一のコントローラが示されるが、１つより多くのコントローラを含む分散型コントローラ構成を用い得ることを理解されたい。示されるように、コントローラ１３３は、プログラム可能論理コントローラのようにプログラムに応じて動作することができる。明確にするために、コントローラ１３３とシステムの種々の他の構成要素との間の種々の動作可能な接続は、図１５から省略される。
【００４２】
[0089]  本実施形態の更に別の態様に従うと、ポンプ１３２は、スプレーノズル組立体１６により静電帯電した液体からモータ３４への帯電を防ぐために、ポンプ１３２、及びポンプ１３２をスプレーノズル組立体１６に接続する液体供給ライン１３１に対して電気的に絶縁するように配置された電気モータ１３４（図１６）により動作される。そのため、駆動モータ１３４は、ポンプ１３２を電気駆動モータ１３４から絶縁する硬質ナイロン等で作成された非導電性駆動セグメントによってポンプヘッド駆動シャフト１３６に接続された出力シャフト１３５を有する。示される実施形態における非導電性駆動セグメント１３８は、約１．５インチ（約３．８ｃｍ）の直径及び約５インチ（約１２．７ｃｍ）の軸方向長さを有する。電気モータ駆動シャフト１３５は、この場合、ねじ１４１により非導電性駆動セグメント１３８に固定された取り付けプレート１３９を支持する。ポンプヘッド駆動シャフト１３６は、同様に、非導電性駆動セグメント１３８の反対の端部にねじ１４１により固定さあれた取り付けプレート１４０を支持する。
【００４３】
[0090]  静電電圧発生装置２２２は、噴霧した液体液滴を静電帯電させる電圧をもたらすために、電気ライン２２４を介してノズル組立体１６に電気的に接続される。示される実施形態において、電気ライン２２４は、随意的なものであり、スプレーノズル組立体１６に与えられる電圧及び電流を制御するように手動で又は自動的に調節することができる可変抵抗器要素２２６を含む。随意的な接地ワイヤ２２８も液体供給ライン１３１と接地２３２との間に電気的に接続される。接地線２２８は、流体内に存在する電圧を制御するように手動で又は自動的に調節することができる可変抵抗器２３０を含む。示される実施形態において、接地線は、システムに与えられる流体の帯電状態を制御するために、ポンプ１３２の前に配置される。システムは、流体の帯電状態をコントローラ１３３に通信するセンサをさらに含むことができるので、システムは、可変接地抵抗器２３０の抵抗を制御し、システム内の液体ラインから電荷をブリードオフする（ｂｌｅｅｄ  ｏｆｆ）ことにより、液体の荷電状態を自動的に監視し、選択的に制御することができる。
【００４４】
[0091]  駆動モータ１３４は、この例では、同じく適切に接地され、非導電性プラスチックモータ取り付けハウジング１４４内に支持される。示される液体保持タンク１３０は、タンク１３０内の液体量の監視を可能にする液量計１４５上に支持され、電気絶縁バリア１４６が、液体保持タンク１３０の下面と液量計１４５との間に提供される。蠕動ポンプ１３２の代わりに、プラスチック圧力ポット、並びにその電気オペレーティング・システムから電気的に絶縁することができる他のタイプのポンプ及び液体送給システムを用いることができる。
【００４５】
[0092]  スプレーノズル組立体１６の霧化空気入口取付具１８に導かれる加圧ガスは、この場合、ガス供給ライン１５１（図１５）を介してスプレーノズル組立体１６の霧化空気入口取付具１８と連通するバルク窒素供給部１５０から生じる。制御された温度及び圧力で乾燥不活性窒素ガスがスプレーノズル組立体１６に供給されるのを可能にするために、ガスヒータ１５２が、供給ライン１５１内に提供される。本実施形態と関連して窒素が霧化ガスとして説明されるが、乾燥チャンバ内の酸素レベルが、スパーク、又は静電スプレーノズル組立体若しくは乾燥システムの他の電子的に制御される要素の他の電気的故障により発火し得る乾燥チャンバ内の乾燥粉体粒子を有する燃焼雰囲気を生成するレベルより下に維持される限り他の不活性ガスを用いることができ、又は、空気と共に他のガスを用い得ることが理解されるであろう。
【００４６】
[0093]  本実施形態の更に別の重要な態様に従うと、スプレーノズル組立体１６に供給され、乾燥チャンバ１２内に噴霧される液体の霧化が生じたときに乾燥チャンバ１２に導かれる加熱した窒素霧化ガスは、乾燥チャンバ１２を通って乾燥媒体として連続的に再循環される。図１５をさらに参照して理解されるように、乾燥ガス入口１５及びスプレーノズル組立体１６の両方から乾燥チャンバ１２に導入される乾燥ガスは、乾燥チャンバ１２の全長を循環し、乾燥チャンバ１２内に噴霧される静電帯電した液体粒子を効率的に乾燥させて粉体形態にする。乾燥粉体は、粉体収集コーン１８を通って粉体収集チャンバ２１内に移動し、そこで適切な手段によって、手動で又は他の自動化された手段によって除去することができる。
【００４７】
[0094]  図１０及び図１０Ａに最もよく示されるように、示される粉体収集コーン１８は、上部円筒形セクション１５５と、内方にテーパする円錐形中間セクション１５６と、乾燥粉体を粉体収集チャンバ２１に導くようにフィルタ要素ハウジング１９を通って中央に延びる下部円筒形粉体送給セクション１５８とを有する。フィルタ要素ハウジング１９は、この場合、粉体収集コーン１８の下部セクションに対して離間して外方に取り囲むように取り付けられた垂直方向に積み重ねた一対の環状ＨＥＰＡフィルタ１６０を有する。示される粉体収集コーン１８は、フィルタ要素ハウジング１９内の上部フィルタ１６０の上に配置された、その端部の中間の外方に延びる半径方向フランジ１６１を有し、環状シール１６２が、半径方向フランジ１６１とフィルタ要素ハウジング１９との間に挿置される。乾燥粉体の大部分は粉体収集コーン１８を通って粉体収集チャンバ１９内へ下方に落下するが、微細粒子が粉体収集コーン１８の底部セクションの周りに上向きに、次にフィルタハウジング１９の排出ガス出口２０を通って出ていく前に、微細粉体を抑制し、フィルタリングして除去するＨＥＰＡフィルタ１６０を通って外方に移動するにつれて、最も微細な粒子のみが乾燥ガス内に運ばれるままである。
【００４８】
[0095]  代替的に、図１１、図１１Ａ及び図１１Ｂに示されるように、ハウジング１９ａの中間横断支持パネル１６３から垂直方向に垂下するように取り付けられた周方向に離間した複数の円筒形フィルタ１６０ａを含むフィルタ要素ハウジング１９ａを用いることができる。収集コーン１８から下部収集チャンバ内に導かれる粉体粒子が潜在するガスは、フィルタ１６０ａを通り、横断方向支持パネル１６３の上のフィルタ要素ハウジング１９ａ内の共通の排出プレナム１６４内にフィルタ１６０ａを通って横断方向に流れ、出口ポート２０ａを通して、フィルタ１６０ａにより空気流から制限される粒子と連通する。フィルタ１６０ａを定期的に洗浄するため、フィルタ１６０ａはそれぞれ、その開示が引用により本明細書に組み入れられる、本出願と同じ出願人に譲渡された米国特許第８，８７６，９２８号に開示されたタイプの、それぞれの逆流パルス空気フィルタ洗浄装置１６７を有する。逆流パルス空気フィルタ洗浄装置１６７の各々は、パルス状空気供給部に接続するための、それぞれのガス供給ライン１６７ａを有する。
【００４９】
[0096]  図１１Ａ及び図１１Ｂに示されるような、示される逆流パルス空気フィルタ洗浄装置１６７はそれぞれ、窒素などの加圧ガス源に接続された圧縮ガス供給ライン１６７ａに接続するための、環状リテーナ２４２により固定された排出プレナム１６４の上壁内にガス入口２４１を有する逆流パルスノズル２４０を含む。ノズル２４０は、排出プレナム１６４、及び実質的にフィルタ１６０ａの長さを通って、入口２４１から延びる中空の内部空気通路２４４を形成する円筒形閉鎖底部構成を有する。ノズル２４０は、排出プレナム１６４内のセクションにおける直径が比較的大きい複数の放出孔２４６と、フィルタ１６０ａ内のノズル２４０の長さにおけるより小さいサイズの複数の空気放出孔２４８とを有するように形成される。
【００５０】
[0097]  逆流パルスノズル２４０の動作中、フィルタ要素ハウジング１９ａから排出プレナム１６４へのプロセスガスの流れを遮断するために、排出ポート開口位置と閉鎖位置との間の排出プレナム１６４内の軸方向移動のために、環状排出ポート遮断プランジャ２４９が、逆流パルスノズル１６０ａの上方に配置される。プランジャ２４９の移動を制御するために、底部開口プランジャシリンダ２５０が、排出プレナム１６４の上壁から垂下して封止するように取り付けられる。示されるプランジャ２４９は、シリンダ２５０の内部と摺動封止係合するように構成された外周を有する上部の比較的直径が小さい環状封止及び案内フランジ２５２と、パネル１６３内の排出ポート２５３と封止係合するようにシリンダ２５０の下部末端部の下方に配置された下部の直径がより大きいバルブヘッド２５４とを含む。プランジャ２４９は、好ましくは弾性材料で作成され、上部封止及び案内フランジ２５２及び下部バルブヘッド２５４は、下方にテーパする又はカップ形状の構成を有する。
【００５１】
[0098]  プランジャ２４９は、逆流パルスノズル２４０に沿った軸方向運動が制限されるように配置され、逆流パルスノズル２４０の外周の周りに固定されたコイルばね２５６により、図３に示されるような、通常の開放又は後退位置に付勢される。バルブプランジャ２４９がこうした位置に付勢された状態で、プロセスガスは、フィルタ要素ハウジング１９ａから、フィルタ１６０ａ、排出ポート２５３を通って、排出プレナム１６４内に流れる。
【００５２】
[0099]  逆流パルスガス洗浄サイクルの際、圧縮ガスのパルスは、入口ライン１６７ａから逆流パルスノズル２４０を通って導かれる。圧縮ガスは、ノズル１６０ａを通って進むので、最初に大きい直径の又はプランジャ作動孔２４６を通って、プランジャ封止及び案内フランジ２５２の上方のプランジャシリンダ２５０内に導かれ、次に、より小さい逆流パルスノズル孔２４８を通って導かれる。より大きい孔２４９は、抵抗の少ない経路をもたらすので、ガスは、最初にプランジャシリンダ２５０に流入し、プランジャシリンダ２５０内の圧力が増大するにつれて、プランジャ２４９を、ばね２５６の付勢力に抗して下方に押し込む。最終的に、圧力は、ばね２５６の力を克服する点まで増大し、プランジャ２４９を排出ポート２５３に向けて下方に押し込み、排出ポート２５３を一時的に密封する。プランジャ２４９が排出ポート２５３を封止した後、外側プランジャシリンダ２５０内の圧縮ガスは、もはやプランジャ２４９を移動させることはできず、プランジャシリンダ２５０内のガス圧はある点まで増大し、次に、圧縮ガスは、より小さいノズル孔２４８を通って、フィルタ１６０ａに対して押し込まれ、その外周の周りの粒子状物質の蓄積を取り除く。
【００５３】
[00100]  逆流圧縮空気パルス及びフィルタ１６０ａ上に蓄積した粒子の除去に続いて、圧力は、プランジャシリンダ２５０内で、もはやばね２５６に対抗しない程度まで低減される。次に、プランジャ２４９は、ばね２５６の力の下でその後退又は静止位置に上向きに移動し、ドライヤの連続的作動のために排出ポート２５３を封止解除する。
【００５４】
[00101]  排出ガスフィルタ要素ハウジング２７０及び乾燥チャンバ１２の下端部上に取り付け可能な粉体収集チャンバ２７１のさらに別の代替的な実施形態が、図１２〜図１２Ｂに示される。この場合、上部粉体導流プレナム２７２は、細長い乾燥チャンバ１２の下面に取り付け可能であり、フィルタ要素ハウジング２７０は、垂直に向けられた複数の円筒形フィルタ２７４を含み、かつ、粉体導流プレナム２７２の下方に配置され、粉体導流コーン２７５は、フィルタ要素ハウジング２７０の下面に接続され、粉体収集チャンバ２７１は、粉体導流コーン２７５の下面上に支持される。
【００５５】
[00102]  示される粉体導流プレナム２７２は、乾燥チャンバ１２の下面に対して封止するように取り付け可能であり、乾燥チャンバ１２及び乾燥ゾーン１２７から乾燥ガス及び粉体を受け取るための開放上端部を有する、外側円筒形ハウジング壁２８９を含む。粉体導流プレナム２７２内に収容されるのは、その下面上に排出チャンバ２８２（図１２Ｂ）を形成し、その上側で、乾燥ガス及び粉体を乾燥チャンバ１２から円錐形排出プレナム２８１の外周の周りに下向き及び外方に導く、下向きに開放する円錐形に構成された排出プレナム２８１である。
【００５６】
[00103]  フィルタ要素ハウジング２７０は、環状シール２８５によって粉体導流プレナム２７２の底周縁部に対して封止するように取り付けられた外側円筒形ハウジング壁２８４と、環状シール２８８によって、円錐形排出プレナム２８１の底周縁部に対して封止するように取り付けられた内側円筒形フィルタシュラウド２８６とを含む。円錐形排出プレナム２８１及び内側円筒形フィルタシュラウド２８６は、複数の半径方向支持部２９０（図１２Ａ）によってガス導流プレナム２７２の外側円筒形ハウジング壁２８９及びフィルタ要素ハウジング２７０内に支持され、円錐形排出プレナム２８１の底部周囲の周りに連通する空気通路２９１と、内側円筒形フィルタシュラウド２８６と外側円筒形ハウジング壁２８４との間の環状ガス通路２９２とを形成するので、粉体導流プレナム２７２を通るガス及び粉体は、円錐形排出プレナム２８１により、フィルタ要素シュラウド２８１の周りに外方に、下にある粉体導流コーン２７５及び収集チャンバ２７１内へと導かれる。
【００５７】
[00104]  円筒形フィルタ２７４は、この場合、下方に開放する円錐排出プレナム２８１の下面の下方に固定して配置された円形支持プレート２９５に対して垂下するように支持される。円形フィルタ支持プレート２９５は、この場合、円筒形シュラウド２８６の上部周囲に対して僅かに陥凹するように取り付けられ、排出チャンバ２８２の底壁を形成する。示される円筒形フィルタ２７４はそれぞれ、円筒形フィルタ要素２９６、上部円筒形カートリッジ保持プレート２９８、挿置された環状封止要素３００、３０１、３０２を有する底部端部キャップ及び封止プレート２９９を含むカートリッジの形態である。フィルタカートリッジを組み立てられた関係に固定するために、上部カートリッジ保持プレート２９８は、Ｏリング封止リング３０８が間に挿置されたナット３０６により固定される底部端部キャップ２９９内の中央穴を通って配置可能なねじ付き下部端部スタッド３０５を備えた垂下するＵ形状支持部材３０４を有する。各々のフィルタカートリッジの上部保持プレート２９８は、中央支持プレート２９５内のそれぞれの円形開口部３１０の周りに封止するように取り付けられ、フィルタ要素２９６は支持プレート２９５の下面に対して垂下するように配置され、ホルダプレート２９８内の中央開口部３１１は、排出チャンバ２８２と円筒形フィルタ要素２９６の内部との間を連通する。フィルタ要素カートリッジは、この場合、内部シュラウド２７４の中央の周りに周方向に離間して配置される。
【００５８】
[00105]  この例におけるフィルタ要素ハウジング２７０は、フィルタカートリッジへの容易なアクセスを可能にするように、解放可能なクランプ３１５又は同様のファスナにより粉体導流プレナム２７２に固定される。内部フィルタシュラウド２８６もまた、交換のためにフィルタへのアクセスを可能にするように、ピン及びスロット接続などにより、円筒形フィルタ２７４に対して取り囲むように解放可能に取り付けられる。
【００５９】
[00106]  ドライヤシステムの動作中、粉体導流プレナム２７２内に導かれる乾燥ガス及び粉体は、円錐形排出プレナム２８１の周りを環状通路２９１、２９２内へ、内側フィルタ要素シュラウド２７４の周りを下方に粉体方向コーン２７５及び収集チャンバ２７１内へと流され、チャンバ２７１内に収集されることが分かるであろう。前に示したように、ガス流内に残る乾燥粉体の大部分は、粉体収集チャンバ２７１内に移動するが、明らかになるように、乾燥ガスが、フィルタを通って乾燥ガス排出プレナム２８２内に進み、乾燥ガス排出ポート３２０を通って出ていき、乾燥チャンバ１２へ再循環するとき、微細ガスが運ぶ粒子状物質は、環状フィルタ２７４により分離及び保持される。
【００６０】
[00107]  ドライヤシステムの使用の過程において円筒形フィルタ２７４から粉体の堆積を洗浄するために、円筒形フィルタ２７４の各々は、それぞれの逆流ガスパルス洗浄装置３２２を有する。このため、ガス導流プレナム２７２は、この場合、適切な加圧空気供給部に接続された外側環状加圧ガスマニホルドチャネル３２１を有する。各々の逆流空気パルス洗浄装置３２２は、この場合は空気導流プレナム２７２の外面に取り付けられた、環状加圧ガスマニホルドチャネル３２１とそれぞれの制御バルブ３２６との間に接続されたそれぞれの加圧ガス供給ライン３２５を有する。ガスパルス導流ライン又は管３２８は、制御バルブ３２６から空気導流プレナム２７２及び排出プレナム２８２の円錐壁を通って半径方向に延び、次に上方に配置されたガスパルス導流ライン３２８の終端放出端部３２９において下方に直角に方向転換し、フィルタカートリッジ保持プレート２９８の中央開口部３１１及び下にある円筒形フィルタ要素２９６に対して位置合わせされる。
【００６１】
[00108]  制御バルブ３２６の適切な選択的な又は自動化した制御により、制御バルブ３２６は、ライン３２８からの圧縮ガスのパルスを循環フィルタ２７４内に軸方向に放出し、円筒形フィルタ要素２９６の外壁上の蓄積した粉体を取り除くように周期的に動作することができる。好ましくは、パルスガス導流ラインの放出端部３２９は、循環フィルタ２７４の上端部に対して離間して配置され、フィルタ要素２９６への圧縮ガスインパルスの導流を容易にする一方で、同時に排出チャンバ２８２からガスを吸い込み、それにより、フィルタ要素２９６から蓄積した粉体を取り除く逆流インパルスを容易にする。好ましくは、空気管３２８の放出端部３２９は、円筒形フィルタ要素の上端部からある距離だけ離間されるので、フィルタカートリッジに達すると、図１２Ｂに３３０として示される拡大する空気流は、カートリッジ保持プレート２９８内の中央開口部３１１の直径に実質的に対応する外周を有する。例示的な実施形態において、空気導流管３２８は、約１インチの直径を有し、放出端部３２９は、保持プレート２９８から約２．５インチの距離に離間される。
【００６２】
[00109]  粉体収集チャンバ２７１は、この場合、乾燥粉体を収集チャンバ２７１に導くことを可能にする垂直方向又は開放位置と、粉体が除去されるときに乾燥粉体の収集チャンバ２７１への通過を阻止する水平方向閉鎖位置との間で回転可能に移動するように、適正な作動装置３４１によって動作可能な収集チャンバ２７１の上端部に取り付けられた円形バタフライバルブ３４０（粉体収集チャンバ２７１内に分離した方法で図１２Ｂに示される）を有する。代替的に、粉体収集チャンバ２７１は、粉体を、開放底端部から可動コンベヤに直接付着させ得ることが理解されるであろう。
【００６３】
[00110]  フィルタ要素ハウジング１９ａから出ていく乾燥ガスの再循環及び再利用を可能にするために、フィルタハウジング１９の排出出口２０が再循環ライン１６５に接続され、再循環ライン１６５は次に、コンデンサ１６６、ブロワ１６８、及び乾燥ガスヒータ１６９（図１５）を通って、加熱チャンバ１２の上部カバー１４の加熱ガス入口ポート１５に接続される。コンデンサ１７０は、それぞれの冷水供給部及び戻りライン１７１を有する冷水冷却凝縮コイル１７０ａによって排出ガス流ストリームから、あらゆる水蒸気を取り除く。コンデンサ１７０からの凝縮液は、収集容器１７４又はドレインに導かれる。次に、乾燥窒素ガスは、ガスヒータ１６９を通ってブロワ１６８により導かれ、ガスヒータ１６９は、コンデンサ１７０内で冷却した後、乾燥ガスを、特定の粉体乾燥操作のための所定の加熱温度に再加熱し、元の加熱ガス入口ポート１５へ、そして加熱チャンバ１２内に向け直す。ブロア１６８とヒータ１６９との間の再循環ライン１６５に接続された排出制御バルブ１７５は、静電スプレーノズル組立体１６からシステム内に導入される過剰な窒素ガスを適切な排出配管１７６に排出するのを可能にする。制御バルブ１７５からの排出流は、静電スプレーノズル組立体１６により乾燥チャンバ１２内に導入される過剰な窒素ガスに合致させるように設定することができる。特定の乾燥作業のため又は揮発性物質の蒸発及び排出を制御するため、排出流制御バルブ１７５及びブロワ１６８の選択的制御により、乾燥チャンバ１２内の真空又は圧力レベルを選択的に制御できることが理解されるであろう。示される実施形態においては、冷水コンデンサ１７０が示されるが、他のタイプのコンデンサ、又は再循環ガス流ストリームから水分を除去するための手段を使用できることが理解されるであろう。
【００６４】
[00111]  静電スプレーノズル組立体１６及び乾燥ガス入口ポート１５の両方からの、可撓性ライナ１００により形成される有効乾燥ゾーン１２７内に導入される乾燥ガスは、静電スプレーノズル組立体１６により乾燥チャンバ１２内に噴霧される液体粒子の乾燥を容易にする、乾燥不活性ガス、すなわち示される実施形態においては窒素であることが理解されるであろう。上述のような不活性乾燥ガスの再循環はまた、乾燥ガスから酸素をパージし、静電スプレーノズル組立体１６又はシステムの他の構成要素からの意図しないスパークの場合、乾燥チャンバ内での粉体の危険な爆発の可能性を防止する。
【００６５】
[00112]  噴霧乾燥システム１０を通る不活性乾燥ガスの再循環は、さらに、著しく低い作動温度で、そしてそれに対応して著しくコスト削減で、噴霧乾燥システム１０の非常にエネルギー効率の良い動作を可能にすることが分かっている。既述のように、噴霧されるエマルジョンは、一般的に、例えば、水（溶媒）、デンプン（担体）及び風味油（コア）のような３つの成分からできている。その場合、噴霧乾燥の目的は、油の周りにデンプンを形成し、乾燥ガスで全ての水を取る去ることである。デンプンは、油の周りの保護層として残り、油が酸化するのを防ぐ。この望ましい結果は、霧化の前及び霧化の間、エマルジョンが負に帯電されるとき、より容易に達成されることが分かっている。
【００６６】
[00113]  動作理論は十分に理解されていないが、噴霧されたエマルジョンの３つの成分の各々は、異なる電気特性を有する。水は、導電性が最も大きいグループであり、最も多くの電子を引き付けやすく、次はデンプンであり、最後に油は、最も抵抗性が大きく電子をほとんど引き付けない。反対電荷は引き付け合い、同じ電荷は反発するということが分かっており、全て最も多くの同じ電荷を有する水分子は、互いに対して反発力が最も大きい。この力は、水分子を液滴の外面に導き、そこで水分子は乾燥ガスに対して最大の表面積を有し、それにより乾燥プロセスが増強される。より小さい電荷をもつ油分子は、液滴の中心に残る。このプロセスは、より迅速な乾燥、又はより低温の熱源を用いた乾燥、並びにより均一なコーティングに役立つと考えられる。摂氏９０度の温度の入口乾燥ガス温度で動作される本噴霧乾燥システムにより生成される噴霧乾燥粉体の試験では、この粉体が、摂氏１９０度で動作可能な従来の噴霧乾燥プロセスで乾燥されたものに匹敵することが分かった。さらに、幾つかの例において、本噴霧乾燥システムは、乾燥ガスを加熱せずに有効に動作することができる。
【００６７】
[00114]  カプセル封入効率、すなわち乾燥粉体のコーティングの均一性もまた、より高温の噴霧乾燥において達成されたものと等しかった。さらに、より低温の乾燥は、従来の噴霧乾燥に比べて、環境内に放出される香気、臭気、及び揮発性成分が著しく低減し、乾燥粒子の外面がデンプンでより均一かつ完全に形成されたことをさらに示すことが分かった。香気及び臭気の放出の低減は、作業環境をさらに向上させ、操作要員をイライラさせる及び／又は操作要員に有害であることがあるこうした臭気をパージする必要性を排除する。低温の処理はまた、化合物への損傷又は悪影響なしに、温度感受性成分の噴霧乾燥を可能にする。
【００６８】
[00115]  乾燥プロセスの間、あらゆる粒子がライナ１００の表面にくっつくこと又は他の方法で蓄積することがある場合、あらゆる蓄積粉体を除去するのに十分な振動運動をライナ１００に定期的に与えるために、ライナ振動装置が提供される。示される実施形態において、乾燥チャンバ１２は、空気タンク１８１に接続された側部空気圧式ライナ振動バルブポート１８０を有し、この空気タンク１８１は、加圧空気を、空気圧式ライナ振動バルブポート１８０を通ってライナ１００と乾燥チャンバ１２の外壁との間の環状空隙に導くように定期的に作動させることができ、可撓性ライナ１００を十分な力で前後に振動させ、あらゆる蓄積した粉体を取り除く。加圧空気は、好ましくは、こうした振動動作を強めるためにパルス方式で空気圧式ライナ振動バルブポート１８０に向けられる。代替的に、ライナ１００を振動させるために、機械的手段も使用できることが理解されるであろう。
【００６９】
[00116]  乾燥チャンバ１２における異なる粉体の工程間のような、スプレードライヤシステムの連続する異なる選択的使用の間の交差汚染に対抗することを保証するために、クイックディスコネクトファスナ１２１の環状アレイ１２０、１２０ａが、ライナ１００の容易な交換のために乾燥チャンバ１２からカバー１４及び収集コーン１８を分解することを可能にする。ライナ１００が比較的安価な材料で作成されるので、ライナ１００は、異なる粉体の工程間で使い捨て可能であり、必要以上の費用なしに、新しい新規の交換用ライナの交換がなされる。
【００７０】
[00117]  この実施形態の別の重要な特徴に従うと、乾燥チャンバ１２は、異なる噴霧乾燥要件に関して容易に変更可能である。例えば、より小さい乾燥要件の場合、より小さい直径のライナ１００ａを用いて、有効乾燥ゾーンのサイズを低減させることができる。このため、上述したものに類似するが、より小さい直径の内部隔離リング１０５ａを有する隔離リング組立体１０４ａ（図１８）を、より大きい直径の隔離リング組立体１０４に容易に交換することができる。リング組立体の交換は、上部カバー１４及び収集コーン１８に関してラッチ１２１の周方向に離間されたアレイ１２０、１２０ａをラッチ解除し、乾燥チャンバ１２からより大きい直径のリング組立体１０４を除去し、それらをより小さい直径のリング組立体１０４ａ及びライナ１００ａと交換し、上部カバー１４及び収集コーン１８を乾燥チャンバ１２の上に再組み立て及び再ラッチ止めすることによって、達成することができる。より小さい直径のライナ１００ａは、加熱した乾燥ガス及び霧化ガスが導入される乾燥ゾーンを有効に低減させ、より迅速かつよりエネルギー効率の良いより小さいロットの乾燥を可能にする。
【００７１】
[00118]  より小さいロット工程のより効率的な乾燥をさらに可能にする際、乾燥チャンバ１２は、該乾燥チャンバ１２の長さの低減を可能にするモジュール式構成を有する。示される実施形態において、乾燥チャンバ１２は、複数の、この場合は２つの垂直方向に積み重ねられた円筒形乾燥チャンバモジュール又はセクション１８５、１８６を含む。下部チャンバセクション１８６の長さは、上部チャンバセクション１８５よりも短い。２つの円筒形乾燥チャンバセクション１８５、１８６は、この場合も、上述したものに類似した周方向に離間したクイックディスコネクトファスナ１２１のアレイ１０２ｂによって互いに解放可能に固定される。ファスナ１２１のこのアレイ１０２ｂ用の取り付けリング１１０は、その下端部に隣接する上部円筒形乾燥チャンバセクション１８５に溶接され、そのアレイ１２０ｂのファスナ１２１は、下部円筒形乾燥チャンバセクション１８６の上部外側半径方向フランジ１８８（図１及び図２）の下面に係合しこれを保持するように下向きに配置されたドローフック１２２と共に向けられる。下部円筒形セクション１８６を上部円筒形セクション１８５及び収集コーン１８に取り付けるファスナ１２１の２つのアレイ１０２ａ、１０２ｂの解放時、下部円筒形セクション１８６を除去し、下部隔離リング組立体１０４を上部チャンバセクション１８５の底部に隣接して再配置し、ライナ１００をより短い長さのライナに交換することができる。次に、アレイ１０２ｂのファスナ１２１によりその間に下部隔離リング組立体１０４を有し、次にアレイ１０２ｂが収集コーン１８の外側環状フランジ１２９に係合するように、上部円筒形ドライヤチャンバセクション１８５を粉体収集コーン１８の上に直接固定する。この変更により、実質的により短い長さの有効乾燥ゾーンの使用が可能になり、より小さいロットの乾燥のための加熱要件がさらに低減する。
【００７２】
[00119]  付加的な円筒形乾燥チャンバモジュール又はセクション１８６を付加して、乾燥チャンバ１２の有効長さをさらに増大させ得ることが理解されるであろう。図１９及び図２０に示されるように、サイズの増大の有無に関係なく、乾燥チャンバ１２内に噴霧される液体の量を増大させるために、上部カバー１４内に複数の静電スプレーノズル組立体１６を設けることができる。共通の液体及び窒素供給部から供給することができる複数のスプレーノズル組立体１６は、上部カバー１４（図４）内の以前には覆われていたそれぞれの取り付け穴１９０内に互いに周方向に離間して支持されることが好ましい。次に、未使用の中央取り付け穴１９２（図２０）を適切に覆うこと又は他の方法で閉鎖することができる。
【００７３】
[00120]  本実施形態のさらに別の特徴によると、乾燥タワー１１のモジュール式クイックディスコネクト構成要素は、さらに、下向き噴霧のための乾燥チャンバ１２の上部の位置から、乾燥チャンバ１２内への静電帯電した液体の上向き方向の噴霧のための乾燥チャンバ１２の底部に隣接した位置に、静電スプレーノズル組立体１６を再配置することを可能にする。このため、スプレーノズル組立体１６を上部カバー１４から除去し、この場合乾燥チャンバ１２の底部にすぐ隣接して粉体収集コーン１８の上部円筒形壁セクション１５５内に取り付けられた底部スプレーノズル取り付け支持部１５５（図２１〜図２４）内に固定することができ、図２１に示されるように、帯電した噴霧パターンを乾燥チャンバ１２内に上向きに噴霧するように静電スプレーノズル組立体１６を向けることができる。図２２〜図２４に示されるように、示される底部ノズル取り付け支持部１９５は、上流端部に隣接してスプレーノズル組立体１６を支持するための中央環状取り付けハブ１９６を含み、この中央環状取り付けハブ１９６は、非導電性材料で作成された複数の半径方向取り付けロッド１９８により粉体収集コーン１８の上部円筒形セクション１５５内に支持される。半径方向取り付けロッド１９８は各々、ゴム接続封止座金２００がねじ１９９のヘッドと粉体収集コーン１８の外壁表面との間にある状態で、それぞれのステンレス鋼製ねじ１９９（図２４）により円筒形壁セクション１５５に固定され、封止Ｏリング２０１が、各々の取り付けロッド１９８の外端部と粉体収集コーンセクション１８の内壁表面との間に挿置される。非導電性テフロン（登録商標）又は他のプラスチックの液体及び霧化ガス供給ライン２０５、２０６はそれぞれ、粉体収集コーン１８により、絶縁取付具２０８、２０９に半径方向外方に接続し、粉体収集コーン１８は、霧化空気及び液体供給ライン１５１、１３１に接続される。高圧電源ケーブル２１０はまた、絶縁取付具２１１を通してノズル組立体と半径方向に接続される。
【００７４】
[00121]  静電スプレーノズル組立体１６が乾燥チャンバ１２の下面に隣接して取り付けられた状態で、カバー１４内の中央スプレーノズル取り付け穴１９２、並びにガス入口ポート１５を適切に覆うことができる。粉体収集コーン１８はさらに、垂線方向に向けられた乾燥ガス入口２１５を有し、その覆いを外し、乾燥ガス再循環ライン１６５に接続することができ、カバー１４は、この場合、一対の排出ポート２１６を有し、この排出ポート２１６も加熱ガス戻りラインへの接続のために覆いを外すことができる。
【００７５】
[00122]  スプレーノズル組立体１６が乾燥チャンバ１２の下面上に取り付けられた状態で、乾燥チャンバ１２内に上向きに導かれた静電帯電した液体噴霧粒子が、乾燥ガスにより乾燥され、乾燥ガスは、この場合、同じくどちらも乾燥不活性ガスすなわち窒素である霧化ガスをスプレーノズル組立体１６から加熱することにより、底部加熱ガス入口２１５を通して接線方向に導かれる。
【００７６】
[00123]  本実施形態に従うと、上述のように、乾燥チャンバ１２内の環状ライナ１００は、乾燥ガスが、フィルタ媒体を通り、カバー１４内の上部排出ポート２１６から、再循環、再加熱、底部ガス入口ポート２１５への向け直しのために再循環ライン１６５に移動することを可能にするためにフィルタ媒体１００ｂ（図３Ｂ）で作成されることが好ましい。上方に向けられた乾燥ガス及び霧化ガスにより乾燥された粉体は、上述のように、最終的に粉体収集コーン１８を通って収集チャンバ１９内に下方に流れ、最も微細な粒子のみが、フィルタ媒体ライナ１００によりフィルタリングされる。さらに、空気圧式ライナ振動装置を定期的に動作させて、ライナ１００上への粉体の蓄積を防止することができる。
【００７７】
[00124]  上記のことから、図２５の表２２０内に示されるように、特定の噴霧用途用の種々の処理モードで処理タワーを容易に構成し、作動させることができる。乾燥チャンバの長さは、円筒形ドライヤチャンバセクション１８６を付加すること又は除去することによって選択的に変えることができ、不透過性又は透過性といったライナの材料を選択的に決定することができ、静電スプレーノズルの向きは、下向きの上部噴霧又は上向きの底部噴霧の間で変えることができ、処理ガス流の方向は、所望の構成に基づいて下向きと上向きとの間で帰ることができる。
【００７８】
[00125]  上記の実施形態において、窒素又は他の不活性乾燥ガスは、静電スプレーノズル組立体１６へ霧化ガスとしてシステム内に導入されるが、代替的に、窒素ガスを再循環ガス内に導入することもできる。上述のものに類似した部品に、上述のものと同様の参照番号が与えられる図２５Ａに示されるような噴霧乾燥システムにおいては、既述のように、窒素又は他の不活性ガスは、窒素注入ライン１６９ａからガスヒータ１６９内に導入され、ガス送給及び供給ライン１６５を介して乾燥チャンバ１２に導かれ、コンデンサ１７０及びブロワ１６８を通って乾燥チャンバ１００から再循環する。その実施形態において、窒素ガスは、上述のような霧化ガス、又は空気、又は不活性ガスと空気の組み合わせとして静電スプレーノズル組立体１６に供給することもでき、それが乾燥チャンバ内で燃焼雰囲気を生成しない限り、霧化ガスとして静電スプレーノズル組立体１６に供給され得る。図２５Ａに示される乾燥システムの動作は、他の点では既述のものと同じである。
【００７９】
[00126]  図２５Ｂを参照すると、粉体収集コーン１８ａが粉体を従来のサイクロン分離器／フィルタバッグハウジング１９ａに導く点を除いて、乾燥製品が下部出口１９ｂから放出され、排出空気が上部排出ポートライン１６５から導かれ、コンデンサ１７０、ブロワ１６８、乾燥ガスヒータ１６９及び乾燥チャンバ１１を通って再循環する、上述したものと類似した別の代替的な実施形態の乾燥システムが示される。図２５Ｃにおいて、図２５Ｂに示されるものに類似するが、サイクロン分離器及びフィルタバッグハウジング１９ａと乾燥チャンバ１２の上端部との間の微細粉体再循環ライン１９ｃを有する、乾燥システムの代替的な実施形態が示される。サイクロン分離器１９ａ内で分離された乾燥微細粒子は、微細粉体再循環ライン１９ｃを通って乾燥チャンバ１２へ再循環され、微細粒子の凝集を有する粉体を生成する。同じく、システムは、他の点では、既述したものと同じに動作する。
【００８０】
[00127]  ここで図２５Ｄを参照すると、流動床粉体乾燥システムの形態の別の代替的な実施形態が示される。粉体乾燥システムは、この場合も、内部に同心状に配置された不透過性ライナ１００を有する円筒形乾燥チャンバ１２と、静電帯電した液体粒子を、上述のようなライナ１００により形成される有効加熱ゾーン１２７に導くための静電スプレーノズル組立体１６とを有する。この場合、円錐形に形成された収集容器セクション１８ｂは、乾燥チャンバ１２からの粉体を、従来のタイプの流動床スクリーン分離器１９ｃを通って収集チャンバ１９ｂ内に伝える。この実施形態において、図１１Ａの実施形態と関連して説明されたものに類似した複数の流動床円筒形フィルタ要素１６０ｂは、乾燥チャンバ１２の上部に隣接した排出プレナム１６４ｂを形成する上部横断プレート１６３ｂによって支持される。ブロワ１６８は、この場合、排出プレナム１６４ｂから空気を吸い込み、そこから、粉体及び粒子状物質をフィルタリングして除去し、コンデンサ１７０及びヒータ１６９を通ってライン１６５を介して導き、底部収集チャンバ１９ｂ内に再導入し、乾燥チャンバ１２を通じて上向きに再循環させる。フィルタ１６ｂもまた、フィルタ１６ｂから蓄積した粉体を洗浄するために、加圧空気をフィルタ１６ｂへこれを通って定期的に導くためのそれぞれの空気制御バルブ１６７ｃを有する、参照される米国特許第８，８７６，９２８号に開示されるようなタイプの逆流パルス空気フィルタ洗浄装置１６７ｂを有する。
【００８１】
[00128]  上記の実施形態の不透過性ライナ１００は、プラスチックなどの可撓性の非導電性材料で作成されることが好ましいが、代替的に、図３Ｄに示されるような硬質プラスチック材料で作成することもできる。その場合、ライナを乾燥チャンバ１２内に同心状に固定するために、適切な非導電性取り付け隔離部１００ｄを設けることができる。代替的に、図３Ｃに示されるように、透過性ライナは、一方の直径側などの一部分が、空気が排出のためにライナを通って流れるのを可能にする透過性フィルタ材料１００ｂで作成され、反対側の直径側上などの一部分は、乾燥粒子がライナに引き込まれるのを防止する不透過性材料１００ａで作成することができる。
【００８２】
[00129]  さらに別の代替的な実施形態として、蝋、硬蝋、及びグリセリドなどの溶融した流れストリームを冷却ガスストリームに噴霧冷却して固化した粒子を形成するのに使用するように、示されるスプレードライヤシステムを、図１５Ａに示されるように容易に変更することができる。上述したものに対する類似の項目には、類似の参照番号が与えられる。噴霧冷却中、周囲条件より僅かに上の溶融点を有する供給原料を加熱し、この場合は絶縁部１３０ａ内に包まれている保持タンク１３０内に配置する。供給原料は、ポンプ１３２を用いて供給ライン１３１を通って霧化ノズル１６に圧送される。溶融した供給原料は、再び、窒素１５０などの圧縮ガスを用いて霧化される。噴霧冷却中、溶融した液体供給原料は、静電帯電されることも又はされないこともある。後者の場合、静電スプレーノズル組立体の電極は非通電にされる。
【００８３】
[00130]  噴霧冷却中、霧化ガスヒータ１５２はオフにされ、冷却霧化ガスは霧化ノズル１６に送給される。噴霧冷却中、乾燥ガスヒータ１６９もオフにされ、除湿コイル１７０ａにより冷却された乾燥ガスは、乾燥ガスライン１６５を通って乾燥チャンバ１２に送給される。霧化した液滴が乾燥ガスゾーン１２７に入ると、霧化した液滴は固化して、収集コーン１８に入る粒子を形成し、ガス流が再循環のために出ていくとき、収集チャンバ１９内に収集される。取り外し可能ライナ１００は、取り外し、廃棄することができるので、この場合もドライヤチャンバの洗浄に役立つ。絶縁空隙１０１は、乾燥チャンバ１２が、冷たくなりすぎて外面上に凝縮を形成するのを防止する。
【００８４】
[00131]  本実施形態のさらに別の特徴を実行する際、噴霧システム１０は、連続する絶縁破壊の場合に警告信号を提供しながら、乾燥チャンバ内の瞬時の荷電場破壊の場合にシステムの連続する動作を可能にする自動障害回復システムを用いて動作することができる。噴霧システム１０で用いられる電圧発生装置障害回復方法を動作させる方法についてのフローチャートが、図２６に示される。示される方法は、プログラム、又はコントローラ１３３（図１５）内で実行されるコンピュータ実行可能命令のセットの形態で動作することができる。示される実施形態によれば、図２６に示される方法は、３００において、加圧した流体の供給を噴射器入口に提供するために、液体ポンプを作動させるか、又は他の方法で開始する。３０２において、電圧供給がアクティブであるかどうかの検証が行われる。３０２において電圧供給が非アクティブでないと判断された場合、３０４において、マシンインターフェースにおいてエラーメッセージが提供され、３０２で判断されたように、電圧供給を非アクティブにしたであろう、存在する障害が修正されるまで、３０６において電圧発生装置及び液体ポンプを作動停止する。
【００８５】
[00132]  ３０２において電圧供給がアクティブであると判断されたとき、３０８において、液体の圧送が開始される前に、例えば５秒などの所定の時間の遅延を使用し、遅延が満了した後、３１０において液体圧送を実行する。３１２において短絡又はアークが検出されると、例えば３０秒などの所定の期間内に、例えば５回などの所定数より多い短絡又はアークが検出されたかどうかを判断するように、イベントカウンタ及び同じくタイマーを保持する。３１２において短絡又はアークが検出されるたびに、３１４においてこれらのチェックを判定する。所定の期間内に所定より少ない短絡又はアークが発生したとき、又は単一の短絡又はアークが検出されたとしても、３１６において液体圧送は停止され、電圧を生成する電圧発生装置は、例えば、３１８において停止すること及び再開することによってリセットされ、３０８における遅延の後、３１０において液体ポンプが再開されるので、システムは、スパーク又はアークを引き起こした障害を修正し、動作を続行することができる。しかしながら、３１４において所定の期間内に所定数より多いスパーク又はアークが生じた場合、３２０において、マシンインターフェースにおいてエラーメッセージが生成され、システムは、３０６において電圧発生装置及び液体ポンプを作動停止することによって待機モードに入る。
【００８６】
[00133]  従って、１つの態様において、静電噴霧乾燥システムにおいて障害を修正する方法は、ポンプ始動シーケンスを開始することを含み、このシーケンスは、最初に電圧発生装置の状態を判断し、電圧発生装置がまだ作動されていない間、液体ポンプをオンにすることを許容しないことを伴う。これを達成するために、１つの実施形態において、液体ポンプがオンにされる前に時間遅延を使用して、電圧発生装置が作動するための十分な時間を許容する。次に、液体ポンプを開始し、システムは、例えば、ポンプが動作している間、電圧発生装置から引き出される電流を監視することにより、スパーク又はアークの存在を連続的に監視する。障害が検出されると、電圧発生装置がオフにされ、液体ポンプもオフにされ、障害の程度によって、システムは、自動的に再始動するか、又はシステムの再始動のために操作者の注意及びアクションを必要とする待機モードに入る。
【００８７】
[00134]  最終的に、本実施形態のさらに別の態様の実行において、噴霧乾燥システム１０は、特定の噴霧用途及び乾燥製品の最終的な使用のために、噴霧粒子の制御された選択的な凝集を引き起こし得る方法で、静電スプレーノズル組立体により噴霧される液体の帯電を定期的に変えることを可能にする制御を有する。１つの実施形態において、噴霧粒子の選択的な又は制御された凝集は、例えば、様々な程度の凝集をもたらし得る異なるサイズの噴霧粒子を生成するように、高アクティブ化周波数と低いアクティブ化周波数との間のパルス幅変調（ＰＷＭ）噴射器コマンド信号を用いて、スプレーアクティブ化の時間及び周波数を変えることによって達成される。別の実施形態においては、噴霧粒子の選択的かつ制御された凝集は、噴霧流体を静電帯電させるために印加される電圧のレベルを変調することによって達成することができる。例えば、電圧を、０〜３０ｋＶといった範囲で選択的に変えることができる。こうした電圧の変化において、流体を帯電させるのに印加される電圧がより高いと、一般に、液滴のサイズは低減し、従って、乾燥時間を減らすように作用し、さらに、担体が液滴の外面に向けて移動させられ、従って、カプセル封入を改善し得ると考えられる。同様に、印加される電圧の減少は、液滴のサイズを増大させる傾向があり、そのことは、特に小さい液滴又は粒子の存在下で、凝集を助けることがある。
【００８８】
[00135]  噴霧粒子の凝集に選択的に影響し得る考えられる他の実施形態は、時間と共に選択的に変えること、又は高い所定値と低い所定値との間でパルス状にすること、システムの種々の他の動作パラメータを含む。１つの実施形態において、霧化ガス圧力、流体送給圧力、及び霧化ガス温度を変えて、粒子サイズ、同じく液滴の乾燥時間を制御すること、又は全体的に影響を与えることができる。付加的な実施形態は、それぞれの絶対含水率又は相対含水率、水分活性、液滴又は粒子サイズなどのような霧化ガス及び／又は乾燥空気の他のパラメータを変えることをさらに含むことができる。１つの特定の考えられる実施形態においては、霧化ガス及び乾燥ガスの露点温度がアクティブに制御され、別の実施形態においては、霧化ガス及び／又は乾燥空気の体積又は流入空気量もアクティブに制御される。
【００８９】
[00136]  噴霧粒子の凝集を選択的に制御するために静電スプレーノズルにおけるパルス幅を変調する方法についてのフローチャートが、図２７に示される。１つの実施形態によると、プロセスの開始時に、３２２において電圧発生装置がオンにされる。３２４において、凝集を選択的に制御するＰＷＭ制御がアクティブであるか又所望されるかの判断を行う。ＰＷＭが所望されない又はアクティブでない場合、プロセスは、３２６において、電圧発生装置を電圧設定値に制御することにより、システムを制御し、流体噴射器が正常に作動される。ＰＷＭが所望される又はアクティブである場合、システムは、所定の期間及びサイクル時間の間、低ＰＷＭ設定値と高ＰＷＭ設定値との間で交互する。示される実施形態において、このことは、３３０における低パルス期間、３２８における低いＰＷＭ設定点へ制御することによって達成される。低パルス期間が満了すると、システムは、３３４において高パルス期間が満了するまで、３３２における高いＰＷＭ設定点に切り換わり、３２４に戻って、さらに別のＰＷＭサイクルが所望されるかどうかを判断する。図２７に示されるフローチャートに関連して本明細書ではＰＷＭ設定点の変化を説明するが、スプレーＰＷＭに加えて又はその代わりに、他のパラメータを変調させることもできる。上述のように、使用できる他のパラメータとして、液体を変更するために印加される電圧のレベル、霧化ガス圧力、液体送給速度及び／又は圧力、霧化ガス温度、霧化ガス及び／又は乾燥ガスの含水率、及び／又は霧化ガス及び／又は乾燥空気の体積又は流入空気量が挙げられる。
【００９０】
[00137]  従って、１つの態様において、スプレーの噴射時間を変えることにより、噴霧粒子の凝集を制御する。高周波数すなわち高ＰＷＭにおいて、スプレーはより迅速に開閉してより小さい粒子を生成する。低周波数すなわち低ＰＷＭにおいて、スプレーはよりゆっくりと開閉してより大きい粒子を生成する。より大きい及びより小さい粒子は、交互する層においてドライヤを通り抜けるとき、それらの反発する電荷に関係なく、一部は物理的に相互作用し、互いに結合し、協働して凝集を生成する。より大きい及びより小さい粒子の特定のサイズ、及び同じく生成される単位時間あたりの各粒子サイズのそれぞれの数は、各々の特定の用途に適合させるように、それぞれの高及び低ＰＷＭ設定点、同じく各々についての期間を設定することによって、システムにより制御することができる。
【００９１】
[00138]  更に別の特徴によると、図２８及び図２９に示されるようなモジュール式設計において、粉体が共通のコンベヤシステム３４０等に放出される、上述のような乾燥チャンバ１１及び静電スプレーノズル組立体１６を有する複数の粉体処理タワー１０を提供することができる。この場合、複数の処理タワー１０が、階段３４２により上部にアクセス可能であり、その端部に配置された制御パネル及び操作者インターフェース３４４を有する共通の作業プラットフォーム３４１の周りに互いに対して隣接するように提供される。この場合の処理タワー１０はそれぞれ、複数の静電スプレーノズル組立体１６を含む。図２８に示されるように、８つの実質的に同一の処理タワー１０が提供され、この場合、粉体を、スクリュー供給、空気圧式のような共通の粉体コンベヤ３４０、又は他の粉体移送手段の上に収集容器へと放出する。
【００９２】
[00139]  こうしたモジュール式処理システムには、多数の重要な利点がることが分かっている。最初に、これは、共通の構成要素、すなわち実質的に同一の処理粉体処理タワー１０を用いて、ユーザ要件に合わせることができる拡大縮小可能な処理システムである。図３０に示されるように、システムは、付加的なモジュールを有するように容易に拡張することもできる。処理タワー１０のモジュール式構成の使用により、高さが４０フィート及びそれより高く、取り付けのために特別な建物レイアウトを必要とする標準的な大きい製造スプレードライヤシステムと比べて、より低い建物高さ要件（１５〜２０フィート）でより大量の粉体を処理することも可能になる。モジュール式設計はさらに、処理の際、保守のために他のモジュールの動作を中断することなく、システムの個々の処理タワーの分離及びサービスを可能にする。モジュール式構成はまた、特定のユーザ製造要件におけるエネルギー使用に対してシステムを拡大縮小することもできる。例えば、１つの処理要件に対して５つのモジュールを使用することができ、また、別のバッチに対して３つだけを使用することもできる。
【００９３】
[00140]  上記から、動作においてより効率的かつ汎用性のあるスプレードライヤシステムが提供されることが分かった。向上した乾燥効率のため、スプレードライヤシステムは、サイズがより小さくかつより経済的な使用が可能である。静電スプレーシステムはさらに、交差汚染なしに異なる製品ロットを乾燥するのに有効であり、特定の噴霧用途のためにサイズ及び処理技術の両方を容易に修正可能である。噴霧乾燥システムはさらに、電気的故障、及び乾燥チャンバの雰囲気内の微細粉体からの危険な爆発を被りにくい。システムはさらに、後の使用をより容易にする形態に凝集する粒子を形成するように選択的に動作することができる。システムはさらに、ドライヤを出る乾燥ガスから空中の粒子状物質をより有効及び効率的に除去するための排出ガスろ過システムを有し、このシステムは、動作を妨げ、費用のかかる保守を必要とし得る、フィルタ上の乾燥した粒子状物質の蓄積を除去するための自動手段を含む。さらに、システムは、構成が比較的簡単であり、経済的な製造に適している。
【図１】
2018537275.tif 000003
【図２】
2018537275.tif 000004
【図３】
2018537275.tif 000005
【図３Ａ】
2018537275.tif 000006
【図３Ｂ】
2018537275.tif 000007
【図３Ｃ】
2018537275.tif 000008
【図３Ｄ】
2018537275.tif 000009
【図４】
2018537275.tif 000010
【図５】
2018537275.tif 000011
【図６】
2018537275.tif 000012
【図７】
2018537275.tif 000013
【図８】
2018537275.tif 000014
【図８Ａ】
2018537275.tif 000015
【図９】
2018537275.tif 000016
【図１０】
2018537275.tif 000017
【図１０Ａ】
2018537275.tif 000018
【図１１】
2018537275.tif 000019
【図１１Ａ】
2018537275.tif 000020
【図１１Ｂ】
2018537275.tif 000021
【図１２】
2018537275.tif 000022
【図１２Ａ】
2018537275.tif 000023
【図１２Ｂ】
2018537275.tif 000024
【図１２Ｃ】
2018537275.tif 000025
【図１３】
2018537275.tif 000026
【図１３Ａ】
2018537275.tif 000027
【図１４】
2018537275.tif 000028
【図１５】
2018537275.tif 000029
【図１５Ａ】
2018537275.tif 000030
【図１６】
2018537275.tif 000031
【図１６Ａ】
2018537275.tif 000032
【図１７】
2018537275.tif 000033
【図１８】
2018537275.tif 000034
【図１９】
2018537275.tif 000035
【図２０】
2018537275.tif 000036
【図２１】
2018537275.tif 000037
【図２２】
2018537275.tif 000038
【図２３】
2018537275.tif 000039
【図２４】
2018537275.tif 000040
【図２５】
2018537275.tif 000041
【図２５Ａ】
2018537275.tif 000042
【図２５Ｂ】
2018537275.tif 000043
【図２５Ｃ】
2018537275.tif 000044
【図２５Ｄ】
2018537275.tif 000045
【図２６】
2018537275.tif 000046
【図２７】
2018537275.tif 000047
【図２８】
2018537275.tif 000048
【図２９】
2018537275.tif 000049
【図３０】
2018537275.tif 000050
【国際調査報告】
2018537275.tif 000051
2018537275.tif 000052
2018537275.tif 000053